(57)【要約】  本開示は、マルチサブフレームグラントにおけるコードワードの有効化／無効化に関する。具体的には、リソース割当てを含む別の制御パラメータが複数のサブフレームを対象として実行される場合でも、コードワードを動的かつサブフレーム単位で有効化／無効化できる。例えば、スケジューリングする側のエンティティからスケジューリングされる側のエンティティへの信号は、複数のサブフレームおよび各サブフレームの複数のコードワードのための共通のリソースグラントと、複数のサブフレームそれぞれのコードワードの有効化／無効化を示すコードワード指示情報と、を含む制御情報、を備えている。各サブフレームについて、そのサブフレームにおける複数のコードワードからのコードワードがコードワード指示情報に従って有効化されるか無効化されるか、および／または、どのコードワードが有効化または無効化されるか、が決定される。
2019528598.tif 000002
【特許請求の範囲】
【請求項１】
通信システムにおいて複数のサブフレームのためのリソースグラントを受信する装置であって、前記装置が、
複数のサブフレームおよび各サブフレームの複数のコードワードのための前記リソースグラントと、
前記複数のサブフレームに共通のプリコーディング指示情報と、
前記グラントされる複数のサブフレームに共通でありかつ前記複数のコードワードそれぞれに個別の変調・符号化方式（ＭＣＳ）インジケータであって、前記ＭＣＳインジケータが、複数のＭＣＳの１つを示す値とＭＣＳを示していない少なくとも１つの値とを含む複数の値、の１つをとる、前記変調・符号化方式（ＭＣＳ）インジケータと、
を含む制御情報、を備えている信号、を受信する送受信機と、
前記複数のコードワードの少なくとも１つに対する前記ＭＣＳインジケータが、ＭＣＳを示していない値を有する場合には、前記複数のサブフレームにおける前記複数のコードワードからのコードワードが無効化されることを決定し、そうでない場合には無効化されないことを決定するように構成されている処理デバイスと、
を備えている、装置。
【請求項２】
前記複数の値が、インデックス化された３２個の値を含み、前記３２個の値のうち、最も大きいインデックスを有する３つの値が、ＭＣＳを示しておらず、前記複数のサブフレームのコードワードの無効化を示すために使用可能である、請求項１に記載の装置。
【請求項３】
前記制御情報が、前記複数のサブフレームそれぞれに個別でありかつ前記それぞれのサブフレームにおけるすべてのコードワードに共通である冗長バージョン指示情報、をさらに備えており、
前記処理デバイスが、前記複数のコードワードの少なくとも１つに対する前記ＭＣＳインジケータが、ＭＣＳを示していない値を有し、かつ前記冗長バージョン指示情報が第１の事前定義される値を有する場合、前記複数のサブフレームにおける前記複数のコードワードからのコードワードが無効化されることを決定し、そうではない場合には無効化されないことを決定する、ように構成されている、
請求項１または請求項２に記載の装置。
【請求項４】
１つのコードワードが有効化されかつ１つのコードワードが無効化されるサブフレームにおいては、前記処理デバイスが、前記有効化されるコードワードの冗長バージョンを、ＭＣＳを示していない特定の値であって、前記無効化されるコードワードの無効化を示すために前記冗長バージョン指示情報と一緒に使用される、前記特定の値、に基づいて決定するように構成されている、請求項３に記載の装置。
【請求項５】
２つのコードワードが有効化されていずれのコードワードも無効化されないサブフレームにおいては、前記処理デバイスが、前記有効化されるコードワードのＭＣＳを、ＭＣＳを示す特定の値であって、前記無効化されるコードワードの無効化を示すために前記冗長バージョン指示情報と一緒に使用されない、前記特定の値、に基づいて決定するように構成されている、請求項３または請求項４に記載の装置。
【請求項６】
前記制御情報が、１つのみの有効化されるコードワードを有する前記複数のサブフレームに共通のプリコーディング指示情報、をさらに備えている、請求項１から請求項５のいずれかに記載の装置。
【請求項７】
前記プリコーディング指示情報が、送信プリコーディング行列指示情報（ＴＰＭＩ）と送信レイヤ数の組合せを示している、すなわち、
ＴＰＭＩと送信レイヤ数の複数の事前定義される組合せのうちの、ＴＰＭＩと送信レイヤ数の組合せを示している、または、
半静的なシグナリングによって事前に設定される候補のセットにおけるＴＰＭＩと送信レイヤ数の複数の組合せのうちの、ＴＰＭＩと送信レイヤ数の組合せを示している、または、
サブフレームあたり１つのコードワードを使用するシングルレイヤ設定の場合にも選択可能である、ＴＰＭＩと送信レイヤ数の複数の事前定義される組合せのうちの、もしくは、シングルレイヤ設定の場合には選択可能ではない、ＴＰＭＩと送信レイヤ数の複数の事前定義される組合せのうちの、ＴＰＭＩと送信レイヤ数の組合せを示しており、シングルレイヤシステムの場合には選択可能ではないＴＰＭＩと送信レイヤ数のそれぞれの組合せを示す前記プリコーディング指示情報の値が、シングルレイヤ設定のプリコーディング指示情報における予約値である、
請求項１から請求項６のいずれかに記載の装置。
【請求項８】
通信システムにおいて複数のサブフレームのためのリソースグラントを受信する装置であって、前記装置が、
複数のサブフレームおよび各サブフレームの複数のコードワードのための共通の前記リソースグラントと、
前記複数のサブフレームそれぞれの１つまたは複数のコードワードの有効化または無効化を示すコードワード指示情報と、
を含む制御情報、を備えている信号、を受信する送受信機と、
各サブフレームについて、前記サブフレームにおける前記複数のコードワードからのコードワードが前記コードワード指示情報に従って有効化されるかまたは無効化されるか、および／または、どのコードワードが有効化または無効化されるかを、決定するように構成されている処理デバイスと、
を備えている、装置。
【請求項９】
前記コードワード指示情報が、前記複数のサブフレームそれぞれを対象とする個々のビットを含むビットマップであり、個々のビットそれぞれが、１つのコードワードが有効化されるかまたは２つのコードワードが有効化されるかのいずれかを示す、請求項８に記載の装置。
【請求項１０】
前記制御情報が、前記グラントされる複数のサブフレームに共通でありかつ前記複数のコードワードそれぞれに個別の変調・符号化方式（ＭＣＳ）インジケータをさらに備えており、前記ＭＣＳインジケータが、複数のＭＣＳの１つを示す値とＭＣＳを示していない少なくとも１つの値とを含む複数の値、の１つをとり、
前記処理デバイスが、有効化される各コードワードの変調・符号化方式を、前記複数のＭＣＳの１つを示している値をとる前記ＭＣＳインジケータに従って決定するようにさらに構成されている、
請求項８または請求項９に記載の装置。
【請求項１１】
前記処理デバイスが、１つのコードワードが有効化される場合に、プリコーディング設定を、前記複数のＭＣＳの１つを示していない値をとる前記ＭＣＳインジケータに基づいて決定するように、または、どのコードワードが無効化されるかを、前記複数のＭＣＳの１つを示していない値をとる前記ＭＣＳインジケータに基づいて、もしくは１つのコードワードが有効化されるサブフレームに対する冗長バージョンインジケータに基づいて、決定するように、さらに構成されている、請求項１０に記載の装置。
【請求項１２】
通信システムにおいて複数のサブフレームのためのリソースグラントを送信する装置であって、前記装置が、
前記複数のサブフレームにおける前記複数のコードワードからのコードワードが無効化されることを示すために、変調・符号化方式（ＭＣＳ）インジケータを、ＭＣＳを示していない値に設定するように構成されている処理デバイスと、
複数のサブフレームおよび各サブフレームの複数のコードワードのための前記リソースグラントと、
前記複数のサブフレームに共通のプリコーディング指示情報と、
前記グラントされる複数のサブフレームに共通でありかつ前記複数のコードワードそれぞれに個別の前記ＭＣＳインジケータであって、前記ＭＣＳインジケータが、複数のＭＣＳの１つを示す値とＭＣＳを示していない少なくとも１つの値とを含む複数の値、の１つをとる、前記ＭＣＳインジケータと、
を含む制御情報、を備えている信号、を送信する送受信機と、
を備えている、装置。
【請求項１３】
通信システムにおいて複数のサブフレームのためのリソースグラントを送信する装置であって、前記装置が、
各サブフレームについて、前記サブフレームにおける前記複数のコードワードからのコードワードが有効化されるか無効化されるかを選択し、それに応じてコードワード指示情報を設定するように構成されている処理デバイスと、
複数のサブフレームおよび各サブフレームの複数のコードワードのための共通のリソースグラントと、
複数のサブフレームそれぞれの１つまたは複数のコードワードの有効化または無効化を示すコードワード指示情報と、
を含む制御情報、を備えている信号、を送信する送受信機と、
を備えている、装置。
【請求項１４】
通信システムにおいて複数のサブフレームのためのリソースグラントを受信する方法であって、前記方法が、
複数のサブフレームおよび各サブフレームの複数のコードワードのための前記リソースグラントと、
前記複数のサブフレームに共通のプリコーディング指示情報と、
前記グラントされる複数のサブフレームに共通でありかつ前記複数のコードワードそれぞれに個別の変調・符号化方式（ＭＣＳ）インジケータであって、前記ＭＣＳインジケータが、複数のＭＣＳの１つを示す値とＭＣＳを示していない少なくとも１つの値とを含む複数の値、の１つをとる、前記変調・符号化方式（ＭＣＳ）インジケータと、
を含む制御情報、を備えている信号、を受信するステップと、
前記複数のコードワードの少なくとも１つに対する前記ＭＣＳインジケータが、ＭＣＳを示していない値を有する場合には、前記複数のサブフレームにおける前記複数のコードワードからのコードワードが無効化されることを決定し、そうでない場合には無効化されないことを決定するステップと、
を含む、方法。
【請求項１５】
通信システムにおいて複数のサブフレームのためのリソースグラントを受信する方法であって、前記方法が、
複数のサブフレームおよび各サブフレームの複数のコードワードのための共通の前記リソースグラントと、
前記複数のサブフレームそれぞれの１つまたは複数のコードワードの有効化または無効化を示すコードワード指示情報と、
を含む制御情報、を備えている信号、を受信するステップと、
各サブフレームについて、前記サブフレームにおける前記複数のコードワードからのコードワードが前記コードワード指示情報に従って有効化されるかまたは無効化されるか、および／または、どのコードワードが有効化または無効化されるかを、決定するステップと、
を含む、方法。
【発明の詳細な説明】
【技術分野】
【０００１】
本発明は、複数のサブフレームを有する通信システムにおけるスケジューリング情報のシグナリングに関し、詳細には、そのようなシグナリングを実施する装置、方法、および信号に関する。
【背景技術】
【０００２】
［Long Term Evolution（ＬＴＥ）］
ＷＣＤＭＡ（登録商標）無線アクセス技術をベースとする第３世代の移動通信システム（３Ｇ）は、世界中で広範な規模で配備されつつある。この技術を機能強化または発展・進化させるうえでの最初のステップとして、高速ダウンリンクパケットアクセス（ＨＳＤＰＡ：High-Speed Downlink Packet Access）、および、エンハンストアップリンク（高速アップリンクパケットアクセス（ＨＳＵＰＡ：High-Speed Uplink Packet Access）とも称する）とが導入され、これにより、極めて競争力の高い無線アクセス技術が提供されている。
【０００３】
ユーザからのますます増大する需要に対応し、新しい無線アクセス技術（new radio access technologies）に対する競争力を確保する目的で、３ＧＰＰは、Long Term Evolution（ＬＴＥ）と称される新しい移動通信システムを導入した。ＬＴＥは、今後１０年間にわたり、データおよびメディアの高速伝送ならびに大容量の音声サポートに要求されるキャリアを提供するように設計されている。高いビットレートを提供する能力は、ＬＴＥにおける重要な方策である。
【０００４】
ＬＴＥシステムは、パケットベースの効率的な無線アクセスおよび無線アクセスネットワークであり、ＩＰベースの全機能を低遅延かつ低コストで提供する。ＬＴＥでは、与えられたスペクトルを用いてフレキシブルなシステム配備を達成するために、スケーラブルな複数の送信帯域幅（例えば、１.４ＭＨｚ、３.０ＭＨｚ、５.０ＭＨｚ、１０.０ＭＨｚ、１５.０ＭＨｚ、および２０.０ＭＨｚ）が指定されている。ダウンリンクには、ＯＦＤＭ（Orthogonal Frequency Division Multiplexing：直交周波数分割多重）をベースとする無線アクセスが採用されている。なぜなら、かかる無線アクセスは、低いシンボルレートのため本質的にマルチパス干渉（ＭＰＩ：multipath interference）を受けにくく、また、サイクリックプレフィックス（ＣＰ:Cyclic Prefix）を使用しており、さらに、様々な送信帯域幅の構成に対応可能だからである。アップリンクには、ＳＣ−ＦＤＭＡ（Single-Carrier Frequency Division Multiple Access）をベースとする無線アクセスが採用されている。なぜなら、ユーザ機器（ＵＥ：User Equipment）の送信出力が限られていることを考えれば、ピークデータレートを向上させるよりも広いカバレッジエリアを提供することが優先されるからである。ＬＴＥリリース８／９では、数多くの主要なパケット無線アクセス技術（例えば、ＭＩＭＯ（Multiple Input Multiple Output）チャネル伝送技術）が採用され、高効率の制御シグナリング構造が達成されている。
【０００５】
［ＬＴＥのアーキテクチャ］
図１は、ＬＴＥの全体的なアーキテクチャを示す。Ｅ−ＵＴＲＡＮはｅＮｏｄｅＢから構成され、ｅＮｏｄｅＢは、ユーザ機器（ＵＥ）に向けのＥ−ＵＴＲＡのユーザプレーン（ＰＤＣＰ／ＲＬＣ／ＭＡＣ／ＰＨＹ）プロトコルおよび制御プレーン（ＲＲＣ：Radio Resource Control）プロトコルを終端させる。ｅＮｏｄｅＢ（ｅＮＢ）は、物理（ＰＨＹ）レイヤ、媒体アクセス制御（ＭＡＣ：Medium Access Control）レイヤ、無線リンク制御（ＲＬＣ：Radio Link Control）レイヤ、およびパケットデータ制御プロトコル（ＰＤＣＰ：Packet Data Control Protocol）レイヤ（これらのレイヤはユーザプレーンのヘッダ圧縮および暗号化の機能を含む）をホストする。ｅＮＢは、制御プレーンに対応する無線リソース制御（ＲＲＣ）機能も提供する。ｅＮＢは、無線リソース管理、アドミッション制御、スケジューリング、交渉によるアップリンクサービス品質（ＱｏＳ：Quality of Service）の実施、セル情報のブロードキャスト、ユーザプレーンデータおよび制御プレーンデータの暗号化／復号、ダウンリンク／アップリンクのユーザプレーンパケットヘッダの圧縮／復元など、多くの機能を実行する。無線リソース制御（ＲＲＣ）レイヤは、無線インタフェースにおけるＵＥとｅＮＢとの間の通信と、いくつかのセルを横切って移動するＵＥのモビリティを制御する。ＲＲＣプロトコルは、ＮＡＳ情報の伝送もサポートする。RRC_IDLEのＵＥに対しては、ＲＲＣはネットワークからの着信呼の通知をサポートする。ＲＲＣ接続制御は、ＲＲＣ接続の確立、変更および解除に関連する全ての手順（ページング、測定の設定および報告、無線リソースの設定、最初のセキュリティ起動、シグナリング無線ベアラ（ＳＲＢ：Signalling Radio Bearer）およびユーザデータを伝える無線ベアラ（データ無線ベアラ（ＤＲＢ：Data Radio Bearer））の確立を含む）をカバーする。複数のｅＮｏｄｅＢは、Ｘ２インタフェースによって互いに接続されている。
【０００６】
また、複数のｅＮｏｄｅＢは、Ｓ１インタフェースによってＥＰＣ（Evolved Packet Core）、より具体的には、Ｓ１−ＭＭＥによってＭＭＥ（Mobility Management Entity：移動管理エンティティ）、Ｓ１−Ｕによってサービングゲートウェイ（ＳＧＷ：Serving Gateway）に接続されている。Ｓ１インタフェースは、ＭＭＥ／サービングゲートウェイとｅＮｏｄｅＢとの間の多対多関係をサポートする。ＳＧＷは、ユーザデータパケットをルーティングして転送する一方で、ｅＮｏｄｅＢ間のハンドオーバー時におけるユーザプレーンのモビリティアンカーとして機能する。さらに、ＳＧＷは、ＬＴＥと別の３ＧＰＰ技術との間のモビリティのためのアンカー（Ｓ４インタフェースを終端させ、２Ｇ／３ＧシステムとＰＤＮ  ＧＷとの間でトラフィックを中継する）として機能する。ＳＧＷは、アイドル状態のユーザ機器に対しては、ダウンリンクデータ経路を終端させ、そのユーザ機器へのダウンリンクデータが到着したときにページングをトリガーする。ＳＧＷは、ユーザ機器のコンテキスト（例えばＩＰベアラサービスのパラメータ、またはネットワーク内部ルーティング情報）を管理および格納する。さらに、ＳＧＷは、合法傍受（lawful interception）の場合にユーザトラフィックの複製を実行する。
【０００７】
ＭＭＥは、ＬＴＥのアクセスネットワークの主要な制御ノードである。ＭＭＥは、アイドルモードのユーザ機器の追跡およびページング手順（再送信を含む）の役割を担う。ＭＭＥは、ベアラのアクティブ化／非アクティブ化プロセスに関与する。さらには、ＭＭＥは、最初のアタッチ時と、コアネットワーク（ＣＮ：Core Network）ノードの再配置を伴うＬＴＥ内ハンドオーバー時とに、ユーザ機器のＳＧＷを選択する役割も担う。ＭＭＥは、（ＨＳＳと対話することによって）ユーザを認証する役割を担う。非アクセス層（ＮＡＳ：Non-Access Stratum）シグナリングはＭＭＥにおいて終端される。ＭＭＥは、一時的なＩＤを生成してユーザ機器に割り当てる役割も担う。ＭＭＥは、サービスプロバイダのＰＬＭＮ（Public Land Mobile Network）に入るためのユーザ機器の認証をチェックし、ユーザ機器のローミング制約を実施する。ＭＭＥは、ＮＡＳシグナリングの暗号化／完全性保護においてネットワーク内の終端点であり、セキュリティキーの管理を行う。シグナリングの合法傍受も、ＭＭＥによってサポートされる。さらに、ＭＭＥは、ＬＴＥのアクセスネットワークと２Ｇ／３Ｇのアクセスネットワークとの間のモビリティのための制御プレーン機能を提供し、ＳＧＳＮからのＳ３インタフェースを終端させる。さらに、ＭＭＥは、ローミングするユーザ機器のためのホームＨＳＳに向かうＳ６ａインタフェースを終端させる。
【０００８】
［ＬＴＥにおけるコンポーネントキャリア構造］
３ＧＰＰ  ＬＴＥシステムのダウンリンクコンポーネントキャリアは、いわゆるサブフレームにおける時間−周波数領域でさらに分割される。３ＧＰＰ  ＬＴＥにおいて、各サブフレームは、図２Ａに示すように２つのダウンリンクスロットに分割される。第１のダウンリンクスロットは、第１のＯＦＤＭシンボル内の制御チャネル領域（ＰＤＣＣＨ領域）を備える。各サブフレームは、時間領域内の所与の数のＯＦＤＭシンボルで構成され（３ＧＰＰ  ＬＴＥ（リリース８）では１２個または１４個のＯＦＤＭシンボル）、各ＯＦＤＭシンボルはコンポーネントキャリアの帯域幅全体に広がる。したがって、ＯＦＤＭシンボルの各々は、各サブキャリアで送信されるいくつかの変調シンボルで構成される。ＬＴＥでは、各スロットにおける送信信号は、ＮＤＬＲＢ×ＮＲＢｓｃ本のサブキャリアとＮＤＬｓｙｍｂ個のＯＦＤＭシンボルのリソースグリッドによって記述される。ＮＤＬＲＢは、帯域幅の中のリソースブロックの数である。ＮＤＬＲＢは、セルにおいて設定されているダウンリンク送信帯域幅に依存し、Ｎｍｉｎ，ＤＬＲＢ≦ＮＤＬＲＢ≦Ｎｍａｘ，ＤＬＲＢを満たす。この場合、Ｎｍｉｎ，ＤＬＲＢ＝６およびＮｍａｘ，ＤＬＲＢ＝１１０は、それぞれ、現在のバージョンの仕様によってサポートされている最小ダウンリンク帯域幅および最大ダウンリンク帯域幅である。ＮＲＢｓｃは、１個のリソースブロックの中のサブキャリアの数である。通常のサイクリックプレフィックスのサブフレーム構造の場合、ＮＲＢｓｃ＝１２、ＮＤＬｓｙｍｂ＝７である。アップリンクの場合、図２Ｂに示したグリッドが提供され、この点においては、非特許文献１の図６．２．２−１および図５．２．１−１も参照されたい。
【０００９】
例えば、３ＧＰＰ  ＬＴＥにおいて使用されるような、例えばＯＦＤＭを使用するマルチキャリア通信システムを想定すると、スケジューラによって割り当てることができるリソースの最小単位は、１つの「リソースブロック」である。物理リソースブロック（ＰＲＢ：Physical Resource Block）は、図２に例示したように、時間領域における連続するＯＦＤＭシンボル（例えば７個のＯＦＤＭシンボル）および周波数領域における連続するサブキャリア（例えば、コンポーネントキャリアの１２本のサブキャリア）として定義される。したがって、３ＧＰＰ  ＬＴＥ（リリース８）では、物理リソースブロックはリソースエレメントから構成され、時間領域における１つのスロットおよび周波数領域における１８０ｋＨｚに対応する（ダウンリンクリソースグリッドに関するさらなる詳細は、例えば非特許文献２の６.２節（例えばバージョン８．９．０、３ＧＰＰのウェブサイトで入手可能であり、参照により本明細書に組み込まれている）を参照）。
【００１０】
１つのサブフレームは、２つのスロットで構成される。いわゆる「通常の（normal）」ＣＰ（Cyclic Prefix）が使用されるときにはサブフレーム内に１４個のＯＦＤＭシンボルが存在し、いわゆる「拡張（extended）」ＣＰが使用されるときにはサブフレーム内に１２個のＯＦＤＭシンボルが存在する。専門用語を目的として、以下で、サブフレーム全体に広がる同じ連続するサブキャリアと同等の時間−周波数リソースは、「リソースブロックペア（resource block pair）」または同意義の「ＲＢペア（RB pair）」もしくは「ＰＲＢペア（PRB pair）」と呼ばれる。
【００１１】
「コンポーネントキャリア（Component Carrier）」という用語は、周波数領域におけるいくつかのリソースブロックの組合せを示す。ＬＴＥの将来のリリースでは、「コンポーネントキャリア」という用語はもはや使用されず、その代わりに、その専門用語はダウンリンクリソースおよびオプションでアップリンクリソースの組合せを示す「セル」に変更される。ダウンリンクリソースのキャリア周波数とアップリンクリソースのキャリア周波数との間のリンク付けは、ダウンリンクリソースで送信されるシステム情報において指示される。
【００１２】
コンポーネントキャリアの構造に関する同様の想定は、以降のリリースにも適用される。
【００１３】
［より広い帯域幅のサポートのためのＬＴＥ−Ａにおけるキャリアアグリゲーション］
LTE-Advancedシステムがサポートできる帯域幅は１００ＭＨｚであり、一方でＬＴＥシステムは２０ＭＨｚのみをサポートできる。キャリアアグリゲーションでは、最大で１００ＭＨｚのより広い送信帯域幅をサポートする目的で、２つ以上のコンポーネントキャリアがアグリゲートされる。ＬＴＥ−Ａｄｖａｎｃｅｄシステムでは、ＬＴＥシステムにおけるいくつかのセルが、より広い１つのチャネルにアグリゲートされる。このチャネルは、たとえＬＴＥにおけるこれらのセルが異なる周波数帯域にある場合でも１００ＭＨｚに対して十分に広い。ユーザ機器は、ユーザ機器の能力に応じて１つまたは複数のコンポーネントキャリア（複数のサービングセルに対応する）を同時に受信または送信できる。キャリアアグリゲーションは、連続するコンポーネントキャリアおよび不連続なコンポーネントキャリアの両方においてサポートされ、各コンポーネントキャリアは、（３ＧＰＰ  ＬＴＥ（リリース８／９）のnumerologyを使用して）周波数領域における最大１１０個のリソースブロックに制限される。
【００１４】
キャリアアグリゲーションが設定されているとき、移動端末はネットワークとの１つのＲＲＣ接続のみを有する。ＲＲＣ接続の確立／再確立時、１つのセルが、ＬＴＥリリース８／９と同様に、セキュリティ入力（１つのＥＣＧＩ、１つのＰＣＩ、および１つのＡＲＦＣＮ）と、非アクセス層（ＮＡＳ：non-access stratum）モビリティ情報（例：ＴＡＩ）とを提供する。ＲＲＣ接続の確立／再確立の後、そのセルに対応するコンポーネントキャリアは、ダウンリンクプライマリセル（ＰＣｅｌｌ：Primary Cell）と称される。接続状態では、ユーザ機器あたり常に１つのダウンリンクＰＣｅｌｌ（ＤＬ  ＰＣｅｌｌ）および１つのアップリンクＰＣｅｌｌ（ＵＬ  ＰＣｅｌｌ）が設定される。コンポーネントキャリアの設定されたセットおいて、他のセルはセカンダリセル（ＳＣｅｌｌ：Secondary Cell）と呼ばれ、ＳＣｅｌｌのキャリアはダウンリンクセカンダリコンポーネントキャリア（ＤＬ  ＳＣＣ）およびアップリンクセカンダリコンポーネントキャリア（ＵＬ  ＳＣＣ）である。１つのＵＥに対して最大５つのサービングセル（ＰＣｅｌｌを含む）を設定できる。
【００１５】
［ＬＴＥにおけるアップリンクアクセス方式］
アップリンク送信では、カバレッジを最大にするため、ユーザ端末は高い電力効率で送信する必要がある。Ｅ−ＵＴＲＡのアップリンク送信方式としては、シングルキャリア伝送と、動的な帯域幅割当てのＦＤＭＡとを組み合わせた方式が選択されている。シングルキャリア伝送が選択された主たる理由は、マルチキャリア信号（ＯＦＤＭＡ）と比較して、ピーク対平均電力比（ＰＡＰＲ：peak to average power ratio）が低く、これに対応して電力増幅器の効率が改善され、カバレッジも改善されるためである（与えられる端末ピーク電力に対してデータレートがより高い）。各時間間隔において、ｅＮｏｄｅＢは、ユーザデータを送信するための固有の時間／周波数リソースをユーザに割り当てる。これによってセル内の直交性が確保される。アップリンクにおける直交多元接続によって、セル内干渉が排除されることでスペクトル効率が高まる。マルチパス伝搬に起因する干渉については、送信信号にサイクリックプレフィックスを挿入することにより基地局（ｅＮｏｄｅＢ）において対処する。
【００１６】
データを送信するために使用される基本的な物理リソースは、１つの時間間隔（例えばサブフレーム）にわたるサイズＢＷｇｒａｎｔの周波数リソースから構成される（符号化された情報ビットはこのリソースにマッピングされる）。なお、サブフレーム（送信時間間隔（ＴＴＩ:Transmission Time Interval）とも称する）は、ユーザデータを送信するための最小の時間間隔である。しかしながら、サブフレームを連結することにより、１ＴＴＩより長い時間にわたる周波数リソースＢＷｇｒａｎｔをユーザに割り当てることも可能である。
【００１７】
［Layer 1／Layer 2制御シグナリング］
スケジューリング対象のユーザに、ユーザの割当て状態、トランスポートフォーマット、およびその他の送信関連情報（例：ＨＡＲＱ情報、送信電力制御（ＴＰＣ：Transmit Power Control）コマンド）を通知する目的で、Ｌ１／Ｌ２制御シグナリングがデータと共にダウンリンクで送信される。Ｌ１／Ｌ２制御シグナリングは、サブフレーム内でダウンリンクデータと共に多重化される（ユーザ割当てがサブフレーム単位で変化しうるものと想定する）。なお、ユーザ割当てをＴＴＩ（送信時間間隔）ベースで実行することもできる。その場合、ＴＴＩ長をサブフレームの整数倍とすることができることに留意されたい。ＴＴＩ長は、サービスエリア内で全てのユーザに対して一定とする、または異なるユーザに対して異なる長さとする、さらにはユーザ毎に動的とすることもできる。Ｌ１／Ｌ２制御シグナリングは、一般的にはＴＴＩあたり１回送信すればよい。以下では、一般性を失うことなく、ＴＴＩが１サブフレームに等しいものと想定する。
【００１８】
Ｌ１／Ｌ２制御シグナリングは、物理ダウンリンク制御チャネル（ＰＤＣＣＨ：Physical Downlink Control Channel）で送信される。ＰＤＣＣＨは、ダウンリンク制御情報（ＤＣＩ：Downlink Control Information）としてのメッセージを伝える。ＤＣＩには、ほとんどの場合、移動端末またはＵＥのグループへのリソース割当ておよびその他の制御情報が含まれる。一般的には、いくつかのＰＤＣＣＨを１つのサブフレーム内で送信できる。
【００１９】
なお、３ＧＰＰ  ＬＴＥでは、アップリンクデータ送信のための割当て（アップリンクスケジューリンググラントまたはアップリンクリソース割当てとも称する）も、ＰＤＣＣＨで送信されることに留意されたい。さらに、リリース１１ではＥＰＤＣＣＨが導入され、ＥＰＤＣＣＨは基本的にＰＤＣＣＨと同じ機能を果たし（すなわちレイヤ１／レイヤ２制御シグナリングを伝える）、ただし送信方法の細部はＰＤＣＣＨとは異なる。さらなる詳細については、特に、非特許文献１の現在のバージョン（例：バージョン１３．２．０）および非特許文献３（３ＧＰＰのウェブサイトで無料で入手可能であり、参照により本明細書に組み込まれている）に記載されている。したがって、背景技術のセクションおよび実施形態の中で概説されているほんどの項目は、特に明記しない限り、ＰＤＣＣＨおよびＥＰＤＣＣＨ、またはレイヤ１／レイヤ２制御シグナリングを伝えるそれ以外の手段にあてはまる。
【００２０】
アップリンク無線リソースまたはダウンリンク無線リソースを割り当てる目的でＬ１／Ｌ２制御シグナリングで送られる情報は（特にＬＴＥ（−Ａ）リリース１０）、一般的には以下の項目に分類できる。
−  ユーザ識別情報（User Identity）：  割り当てる対象のユーザを示す。この情報は、一般には、ＣＲＣをユーザの識別情報によってマスクすることによってチェックサムに含まれる。
−  リソース割当て情報（Resource allocation information）：  ユーザに割り当てられるリソース（例：リソースブロック（ＲＢ：Resource Block））を示す。この情報はリソースブロック割当て（ＲＢＡ：resource block assignment）とも称される。なお、ユーザに割り当てられるリソースブロック（ＲＢ）の数は動的とすることができる。
−  キャリアインジケータ（Carrier indicator）：  第１のキャリアで送信される制御チャネルが、第２のキャリアに関連するリソース（すなわち第２のキャリアのリソースまたは第２のキャリアに関連するリソース）を割り当てる場合に使用される（クロスキャリアスケジューリング）。
−  変調・符号化方式（Modulation and Coding Scheme）：  採用される変調方式および符号化率を決める。
−  ＨＡＲＱ情報：  データパケットまたはその一部の再送信時に特に有用である、新規データインジケータ（ＮＤＩ：New Data Indicator）または冗長バージョン（ＲＶ：Redundancy Version）など。
−  電力制御コマンド：  割当て対象のアップリンクのデータまたは制御情報の送信時の送信電力を調整する。
−  参照信号情報：  割当ての対象の参照信号の送信または受信に使用される、適用されるサイクリックシフトまたは直交カバーコード（ＯＣＣ：Orthogonal Cover Code）インデックスなど。
−  アップリンク割当てインデックスまたはダウンリンク割当てインデックス：  割当て（assignment）の順序を識別するために使用され、ＴＤＤシステムにおいて特に有用である。
−  ホッピング情報：  例えば、周波数ダイバーシチを増大させる目的でリソースホッピングを適用するかどうか、および適用方法の指示情報。
−  ＣＳＩ要求：  割り当てられるリソースにおいてチャネル状態情報（Channel State Information）を送信するようにトリガーするために使用される。
−  マルチクラスタ情報：  シングルクラスタ（ＲＢの連続的なセット）またはマルチクラスタ（連続的なリソースブロックの少なくとも２つの不連続なセット）で送信を行うかを指示して制御するために使用されるフラグである。マルチクラスタ割当ては、３ＧＰＰ  ＬＴＥ−（Ａ）リリース１０によって導入された。
【００２１】
なお、上記リストは、全てを網羅したものではなく、また、使用されるＤＣＩフォーマットによっては、リストした情報項目全てを各ＰＤＣＣＨ送信に含める必要はないことに留意されたい。
【００２２】
現在のＬＴＥ仕様（リリース１３）においては、変調・符号化方式（ＭＣＳ）は、パラメータである変調次数と、トランスポートブロックサイズ（ＴＢＳ）と、トランスポートブロックの送信に使用されるリソースエレメント（ＲＥ：resource element）の数とによって決まる。
【００２３】
ライセンスバンドでのＬＴＥにおいてサポートされる変調次数（変調シンボルあたりのビット数）には、２、４、６、および８が含まれ、それぞれＱＰＳＫ、１６ＱＡＭ、６４ＱＡＭ、および２５６ＱＡＭに対応する。アンライセンスバンド運用においても、これらのすべてがサポートされるかについては、現在まで検討されていないが、アンライセンスバンド運用でも変調次数の同じセットがサポートされるならば有利である。
【００２４】
非特許文献３の７．１．７節（３ＧＰＰのウェブサイトで入手可能である）に記載されているように、ＴＢＳ（トランスポートブロックサイズ）は、ＤＣＩの中でＵＥに示されるＭＣＳインデックスによるＴＢＳインデックスと、ＰＤＳＣＨの送信用に割り当てられるＰＲＢ（物理リソースブロック）の数とによって決まる。このＬＴＥ仕様（非特許文献３）には、７．１．７．２節に２次元のＴＢＳ表が含まれており、この表ではＴＢＳインデックスが行を示し、スケジューリングされるＰＲＢの数が列を示す。この表は、トランスポートブロックサイズ（したがって適用可能な符号化およびパンクチャリング）を規定している。
【００２５】
図５は、３２個の値０〜３１にＭＣＳおよび／または冗長バージョンを割り当てるアップリンクＭＣＳテーブルを示している。具体的には、最初の列は、ＤＣＩに含められるＭＣＳインデックスを表している。ＭＣＳインデックス０〜２８それぞれは、変調次数（２＝ＱＰＳＫ、４＝１６ＱＡＭ、６＝６４ＱＡＭ）およびトランスポートブロックサイズ（ＴＢＳ）インデックスならびに冗長バージョンインデックスの特定の組合せに関連付けられている。ＭＣＳインデックス（値）２９〜３１は、アップリンクでは特定の変調（次数）または符号化方式（ＴＢＳインデックス）に関連付けられておらず、冗長バージョン１〜３を定義しており、この場合に変調・符号化方式は、同じトランスポートブロックの前の（例えば冗長バージョン０の）送信と同じままであるものと想定する。
【００２６】
冗長バージョン（ＲＶ）は、読み取り動作を開始するための循環（再）送信バッファ内の開始点を指定する。主として系統的ビットを送るための最初の送信には、通常ではＲＶ＝０が選択され、なぜならこの方法は、高い信号対雑音比（ＳＮＲ）における正常な復号と、低いＳＮＲにおける正常な復号との間で良好な妥協を示すためである。スケジューラは、ＩＲ（インクリメンタル冗長度：incremental redundancy）合成およびＣｈａｓｅ（チェイス）合成の両方をサポートするため同じパケットの送信に対して異なるＲＶを選ぶことができる。現在では４つの冗長バージョンが定義されており、各冗長バージョンはそれぞれの開始位置によって特徴付けられており、０〜３に番号付けされている。最初の送信およびその後の再送信におけるこれらのＲＶの通常の順序は、０、２、３、１である。
【００２７】
ダウンリンク制御情報はいくつかのフォーマットの形をとる。これらのフォーマットは、全体のサイズと、上述したフィールドに含まれる情報とが異なる。ＬＴＥにおいて現在定義されている様々なＤＣＩフォーマットは以下のとおりであり、非特許文献４の５．３．３．１節（現在のバージョン１３．２．０、３ＧＰＰのウェブサイトで入手可能であり、参照により本明細書に組み込まれている）に詳しく記載されている。さらに、ＤＣＩフォーマットと、ＤＣＩにおいて送信される特定の情報に関するさらなる詳細については、上に挙げた技術規格、または非特許文献５の９.３節（参照により本明細書に組み込まれている）を参照されたい。
−  フォーマット０：  ＤＣＩフォーマット０は、アップリンク送信モード１または２におけるシングルアンテナポート送信を使用するＰＵＳＣＨのためのリソースグラントの送信に使用される。
−  フォーマット１：  ＤＣＩフォーマット１は、単一コードワードＰＤＳＣＨ送信（ダウンリンク送信モード１，２，７）のためのリソース割当ての送信に使用される。
−  フォーマット１Ａ：  ＤＣＩフォーマット１Ａは、単一コードワードＰＤＳＣＨ送信のためのリソース割当てをコンパクトにシグナリングする目的と、競合のないランダムアクセスのために専用プリアンブルシグネチャ（dedicated preamble signature）を移動端末に割り当てる目的とに使用される（すべての送信モード）。
−  フォーマット１Ｂ：  ＤＣＩフォーマット１Ｂは、ランク１送信による閉ループプリコーディングを使用してのＰＤＳＣＨ送信（ダウンリンク送信モード６）のためのリソース割当てをコンパクトにシグナリングするために使用される。送信される情報はフォーマット１Ａと同じであるが、それらに加えて、ＰＤＳＣＨの送信に適用されるプリコーディングベクトルのインジケータが含まれる。
−  フォーマット１Ｃ：  ＤＣＩフォーマット１Ｃは、ＰＤＳＣＨ割当てを極めてコンパクトに送信するために使用される。フォーマット１Ｃが使用されるとき、ＰＤＳＣＨ送信は、ＱＰＳＫ変調の使用に制約される。このフォーマットは、例えば、ページングメッセージをシグナリングしたり、システム情報メッセージをブロードキャストしたりするために使用される。
−  フォーマット１Ｄ：  ＤＣＩフォーマット１Ｄは、マルチユーザＭＩＭＯを使用してのＰＤＳＣＨ送信のためのリソース割当てをコンパクトにシグナリングするために使用される。送信される情報はフォーマット１Ｂの場合と同じであるが、プリコーディングベクトルのインジケータのビットのうちの１つの代わりに、データシンボルに電力オフセットが適用されるかを示すための１個のビットが存在する。この特徴は、２基のＵＥの間で送信電力が共有されるか否かを示すために必要である。ＬＴＥの今後のバージョンでは、この特徴は、より多くの数のＵＥの間で電力を共有する場合に拡張されうる。
−  フォーマット２：  ＤＣＩフォーマット２は、閉ループＭＩＭＯ動作の場合にＰＤＳＣＨのためのリソース割当てを送信するために使用される（送信モード４）。
−  フォーマット２Ａ：  ＤＣＩフォーマット２Ａは、開ループＭＩＭＯ動作の場合にＰＤＳＣＨのためのリソース割当てを送信するために使用される。送信される情報はフォーマット２の場合と同じであるが、例外として、ｅＮｏｄｅＢが２つの送信アンテナポートを有する場合にはプリコーディング情報が存在せず、４つのアンテナポートの場合には、送信ランクを示すために２ビットが使用される（送信モード３）。
−  フォーマット２Ｂ：  リリース９において導入され、デュアルレイヤ・ビームフォーミングの場合にＰＤＳＣＨのためのリソース割当てを送信するために使用される（送信モード８）。
−  フォーマット２Ｃ：  リリース１０において導入され、閉ループシングルユーザＭＩＭＯ動作またはマルチユーザＭＩＭＯ動作（最大８レイヤ）の場合にＰＤＳＣＨのためのリソース割当てを送信するために使用される（送信モード９）。
−  フォーマット２Ｄ：  リリース１１において導入され、最大８レイヤの送信に使用される。主としてＣｏＭＰ（協調マルチポイント：Cooperative Multipoint）において使用される（送信モード１０）。
−  フォーマット３および３Ａ：  ＤＣＩフォーマット３および３Ａは、それぞれ、２ビットまたは１ビットの電力調整を有する、ＰＵＣＣＨおよびＰＵＳＣＨのための電力制御コマンドを送信するために使用される。これらのＤＣＩフォーマットは、ＵＥのグループのための個々の電力制御コマンドを含む。
−  フォーマット４：  ＤＣＩフォーマット４は、アップリンク送信モード２における閉ループ空間多重化送信を使用する、ＰＵＳＣＨのスケジューリングに使用される。
【００２８】
ＰＤＣＣＨは、１つまたは複数の連続する制御チャネル要素（ＣＣＥ）の集合においてＤＣＩを伝える。制御チャネル要素は、９個のリソースエレメントグループ（ＲＥＧ）に相当し、リソースエレメントグループ（ＲＥＧ）それぞれは、４個または６個のリソースエレメントからなる。
【００２９】
サーチスペースは、ＵＥが自身へのＰＤＣＣＨを見つけることのできる一連のＣＣＥ位置を示す。各ＰＤＣＣＨは、１つのＤＣＩを伝え、ＤＣＩに付加されたＣＲＣにおいて暗黙的に符号化されたＲＮＴＩ（無線ネットワーク一時識別子）によって識別される。ＵＥは、設定されている（１つまたは複数の）サーチスペースのＣＣＥを、ブラインド復号してＣＲＣをチェックすることによって監視する。
【００３０】
サーチスペースは、共通サーチスペースおよびＵＥ固有サーチスペースとすることができる。ＵＥは、共通サーチスペースとＵＥ固有サーチスペース（これらは重なり合うことがある）の両方を監視する必要がある。共通サーチスペースは、システム情報（ＳＩ−ＲＮＴＩを使用する）、ページング（Ｐ−ＲＮＴＩ）、ＰＲＡＣＨ応答（ＲＡ−ＲＮＴＩ）、またはＵＬ  ＴＰＣコマンド（ＴＰＣ−ＰＵＣＣＨ／ＰＵＳＣＨ−ＲＮＴＩ）など、すべてのＵＥに共通であるＤＣＩを伝える。ＵＥ固有サーチスペースは、ＵＥに固有な割当て（ＵＥに割り振られたＣ−ＲＮＴＩを使用する）、セミパーシステントスケジューリング（ＳＰＳ  Ｃ−ＲＮＴＩ）、または初期割当て（一時的なＣ−ＲＮＴＩ）のためのＤＣＩを伝える。
【００３１】
従来の無線通信（単入力単出力（ＳＩＳＯ：Single-Input Single-Output））では、送信されるデータの、時間領域または周波数領域の前処理と、受信されるデータの、時間領域または周波数領域の復号を利用するが、（ダウンリンクまたはアップリンクにおいて）基地局（ｅＮｏｄｅＢ）側またはユーザ機器（ＵＥ）側のいずれかで追加のアンテナ素子を使用することにより、信号のプリコーディングおよび検出に対して追加の空間次元が開く。空間−時間処理法では、１つまたは複数の考えられる数的指標（誤り率、通信データ速度、カバレッジエリア、スペクトル効率（単位：ｂｐｓ／Ｈｚ／セル）など）に関してリンクの性能を改善する目的で、この次元を利用する。このような技術は、送信機および／または受信機において複数のアンテナが利用可能であるかに応じて、単入力多出力（ＳＩＭＯ：Single-Input Multiple-Output）、多入力単出力（ＭＩＳＯ：Multiple-Input Single-Output）、またはＭＩＭＯ（多入力多出力）に分類される。基地局と１基のＵＥとの間のポイントツーポイントのマルチアンテナリンクは、シングルユーザＭＩＭＯ（ＳＵ−ＭＩＭＯ：Single-User MIMO）と称されるが、マルチユーザＭＩＭＯ（ＭＵ−ＭＩＭＯ：Multi-User MIMO）は、何基かのＵＥが同じ周波数領域リソースおよび時間領域リソースを使用して共通の基地局と同時に通信することを特徴とする。
【００３２】
ＬＴＥ標準規格には、いわゆる「アンテナポート」が定義されている（非特許文献１の５．２．１節を参照）。アンテナポートは、物理的なアンテナに対応するのではなく、それらの基準信号列によって区別される論理エンティティである。複数のアンテナポート信号を１本の送信アンテナで送信することができる。これに対応して、１つのアンテナポートを複数の送信アンテナに拡散させることができる。
【００３３】
「空間レイヤ」は、ＬＴＥで使用される用語であり、空間多重化によって生成される異なるストリームの１つを表す。レイヤは、送信アンテナポートへのシンボルのマッピングとして説明することができる。各レイヤは、送信アンテナポートの数に等しいサイズのプリコーディングベクトルによって識別され、放射パターンに関連付けることができる。送信のランクは、送信されるレイヤの数である。
【００３４】
「コードワード」とは、送信機の媒体アクセス制御（ＭＡＣ：Medium Access Control）層から物理層に渡される１つのトランスポートブロック（ＴＢ：Transport Block）に対応する、独立して符号化されるデータブロックであり、ＣＲＣによって保護される。２以上のランクの場合、２つのコードワードを送信することができる。コードワードの数はつねにレイヤの数より小さいかまたは等しく、レイヤの数はつねにアンテナポートの数より小さいかまたは等しい。トランスポートブロック１をコードワード０にマッピングしてトランスポートブロック２をコードワード１にマッピングする、あるいは、トランスポートブロック２をコードワード０にマッピングしてトランスポートブロック１をコードワード１にマッピングすることが可能である。
【００３５】
ダウンリンク送信モードにおいてランクおよびプリコーダを迅速に適合させることを可能にする目的で、プリコーディング行列インジケータ（ＰＭＩ：Precoding Matrix Indicator）と一緒にランクインジケータ（ＲＩ：Rank Indicator）をフィードバックするように（これらは測定された品質に基づいて好ましいＲＩ／ＰＭＩを示す）、ＵＥを設定することが可能である。一方でｅＮＢは、ＰＤＣＣＨでのダウンリンク割当てメッセージの中の送信プリコーディング行列インジケータ（ＴＰＭＩ：Transmitted Precoding Matrix Indicator）を介して、自身がＵＥの好ましいプリコーダを適用しているかを示し、そうでない場合、どのプリコーダが使用されているかを示す。これによりＵＥは、ＰＤＳＣＨデータを復調する目的で、セルに固有な基準信号に対する正しい位相基準を導くことが可能になる。
【００３６】
同様にｅＮＢは、アップリンク送信モードにおけるランクおよびプリコーダを制御することができる。ダウンリンクとは異なり、ＲＩおよびＰＭＩなどＵＥによる明示的なフィードバックは存在しない。ｅＮＢは、送信された基準シンボル（復調基準シンボルまたはサウンディング基準シンボルなど）をアップリンク送信から取得し、送信されるレイヤの適切な数およびＴＰＭＩを、これらの基準信号を使用して決定し、ＰＤＣＣＨなどの制御チャネルで送信されるアップリンクリソース割当てメッセージ（ＤＣＩ）の中で示す。
【００３７】
［アンライセンスバンドにおけるＬＴＥ：  ライセンス補助アクセスＬＡＡ］
アンライセンスバンドの運用に関するＬＴＥの仕様に対処する作業項目が、２０１５年６月に開始された。ＬＴＥをアンライセンスバンドに拡張する理由は、ライセンスバンドの量が限られていることに加えて、無線ブロードバンドデータの需要がますます成長しているためである。したがってアンライセンス周波数帯は、携帯電話事業者が自社のサービス提供を拡大するための補足的な手段とみなす傾向が強まっている。Ｗｉ−Ｆｉなどの他の無線アクセス技術（ＲＡＴ）に頼ることと比較したとき、アンライセンスバンドにおけるＬＴＥの利点として、事業者およびベンダーは、アンライセンス周波数帯へのアクセスによってＬＴＥプラットフォームを補足することによって、無線・コアネットワークのＬＴＥ／ＥＰＣハードウェアにおける既存の投資および今後の投資を活用することができる。
【００３８】
しかしながら、アンライセンス周波数帯へのアクセスは、必然的にアンライセンス周波数帯における他の無線アクセス技術（ＲＡＴ）と共存することになるため、ライセンス周波数帯アクセスの品質には絶対に匹敵し得ないことを考慮しなければならない。したがって、アンライセンスバンドでのＬＴＥ運用は、少なくとも最初は、アンライセンス周波数帯での単独の運用ではなく、むしろライセンス周波数帯でのＬＴＥの補足とみなされるであろう。この想定に基づき３ＧＰＰは、少なくとも１つのライセンスバンドと併用してアンライセンスバンドでＬＴＥを運用することに対して、ライセンス補助アクセス（ＬＡＡ：Licensed Assisted Access）という用語を確立した。ただしライセンス補助アクセス（ＬＡＡ）に頼らない、アンライセンス周波数帯でのＬＴＥの将来の単独運用が排除されるものではない。
【００３９】
３ＧＰＰにおける現在の一般的なＬＡＡの方法は、すでに策定されているリリース１２のキャリアアグリゲーション（ＣＡ）の枠組みを最大限に利用することであり、キャリアアグリゲーション（ＣＡ）の枠組みの構成には、前述したように、いわゆるプライマリセル（ＰＣｅｌｌ）キャリアと、１つまたは複数のセカンダリセル（ＳＣｅｌｌ）キャリアが含まれる。キャリアアグリゲーション（ＣＡ）では、一般的に、セルのセルフスケジューリング（スケジューリング情報とユーザデータとが同じキャリアで送信される）と、セル間のクロスキャリアスケジューリング（ＰＤＣＣＨ／ＥＰＤＣＣＨにおけるスケジューリング情報と、ＰＤＳＣＨ／ＰＵＳＣＨにおけるユーザデータが、異なるキャリアで送信される）の両方がサポートされる。
【００４０】
３ＧＰＰにおいて想定されている基本的な方法では、ＰＣｅｌｌをライセンスバンドで運用し、その一方で、１つまたは複数のＳＣｅｌｌをアンライセンスバンドで運用する。この方式の利点として、制御メッセージと、高いサービス品質（ＱｏＳ）が求められるユーザデータ（例えば音声および映像など）とを高い信頼性で送信するためにＰＣｅｌｌを使用することができ、その一方で、アンライセンス周波数帯におけるＳＣｅｌｌは、必然的に他の無線アクセス技術（ＲＡＴ）と共存するため、シナリオによって程度は異なるがＱｏＳが大幅に低下することがある。図３は、極めて基本的なシナリオを示しており、ライセンスＰＣｅｌｌと、ライセンスＳＣｅｌｌ  １と、様々なアンライセンスＳＣｅｌｌ  ２，３，４（例示的にスモールセルとして描いてある）とが存在する。アンライセンスＳＣｅｌｌ  ２，３，４の送信／受信ネットワークノードは、ｅＮＢによって管理される遠隔無線ヘッドとする、またはネットワークにアタッチされているがｅＮＢによって管理されないノードとすることができる。簡潔さのため、これらのノードからｅＮＢまたはネットワークへの接続は、図に明示的には示していない。
【００４１】
ＬＡＡ（ライセンス補助アクセス）の検討および仕様は、最初の段階では５ＧＨｚにおけるアンライセンスバンドに焦点をあてることが３ＧＰＰにおいて合意された。したがって最も重要な問題の１つは、これらのアンライセンスバンドで動作するＷｉ−Ｆｉ（ＩＥＥＥ  ８０２．１１）システムとの共存である。ＬＴＥと他の技術（Ｗｉ−Ｆｉなど）との間の公平な共存をサポートし、さらに、同じアンライセンスバンドにおける複数の異なるＬＴＥ事業者間の公平性を保証する目的で、アンライセンスバンド運用のためのＬＴＥのチャネルアクセス手順は、地域（欧州、米国、中国、日本など）および考慮される周波数帯によって決まる特定の一連の規制に従わなければならない。５ＧＨｚのアンライセンスバンドで運用する場合の規制要件の包括的な説明は、非特許文献６（３ＧＰＰのウェブサイトで入手可能である）に記載されている。ＬＡＡ手順を設計するときに考慮しなければならない規制要件には、地域および帯域に応じて、動的周波数選択（ＤＦＳ：Dynamic Frequency Selection）、送信電力制御（ＴＰＣ：Transmit Power Control）、リッスンビフォアトーク（ＬＢＴ：Listen Before Talk）、最大送信時間長が限られた不連続送信、が含まれる。３ＧＰＰの意図は、ＬＡＡの国際的な単一の枠組みを目標とすることであり、すなわち基本的には、システムを設計する場合、様々な地域および５ＧＨｚ帯域に関するすべての要件を考慮しなければならない。
【００４２】
ＤＦＳ（動的周波数選択）の動作および対応する要件は、マスター／スレーブ原理に関連する。レーダー検出を実施する目的で、マスターがレーダー干渉を検出するが、このときマスターに関連付けられる別の装置に頼ることができる。装置は、ＬＢＴ（リッスンビフォアトーク）に関する欧州の規制に従って、無線チャネルを占有する前に空きチャネル判定（ＣＣＡ：Clear Channel Assessment）を実行しなければならない。例えばエネルギ検出に基づいてチャネルが空きとして検出された後にのみ、アンライセンスチャネルでの送信を開始することが許可される。装置は、ＣＣＡ中に特定の最小時間にわたりチャネルを監視しなければならない。検出されたエネルギレベルが、設定されているＣＣＡのしきい値を超える場合、チャネルは占有されているとみなされる。チャネルが空きとして分類される場合、装置はただちに送信することが許可される。これにより、同じ帯域で動作する他の装置との公平なリソース共有を促進する目的で、送信の最大持続時間が制限される。
【００４３】
ＣＣＡにおけるエネルギ検出は、チャネル帯域幅全体（例えば５ＧＨｚのアンライセンスバンドにおいて２０ＭＨｚ）にわたり実行され、すなわち、そのチャネル内のＬＴＥ  ＯＦＤＭシンボルの全サブキャリアの受信電力レベルが、ＣＣＡを実行した装置において評価されるエネルギレベルに寄与する。
【００４４】
さらに、与えられたアンライセンスチャネルを、そのチャネルが利用できることを再評価する（すなわちＬＢＴ／ＣＣＡ）ことなく、連続的な送信によって装置が占有する合計時間は、チャネル占有時間（Channel Occupancy Time）として定義されている（非特許文献７の４．８．３．１節を参照）。チャネル占有時間は１ｍｓ〜１０ｍｓの範囲内であり、最大のチャネル占有時間は、日本において現在定義されているように例えば４ｍｓとすることができる。さらには、アンライセンスチャネルで送信した後に装置が再びそのアンライセンスチャネルを占有することが許可されない最小アイドル時間も存在し、最小アイドル時間は、前のチャネル占有時間の少なくとも５％である。例えばＵＥは、アイドル期間（Idle Period）の終了時に新たなＣＣＡを実行することができる。この送信挙動は図４に概略的に示してある。
【００４５】
［複数サブフレーム割当て］
３ＧＰＰ  ＲＡＮ１において、アップリンクＬＡＡにおけるマルチサブフレームスケジューリングの可能性に関する検討が行われた（非特許文献８を参照）。結果として、セミパーシステントスケジューリング（ＳＰＳ）およびＴＤＤ  ＵＬ／ＤＬ構成０におけるＵＬグラントを除いて、ＴＴＩごとのスケジューリングのみが許可される。サブフレームｎにおいて受信されるダウンリンクグラントまたはアップリンクグラントは、サブフレームｎ＋ｋにおける１つのみのＰＤＳＣＨまたはＰＵＳＣＨをスケジューリングする（ＦＤＤの場合、ダウンリンクではｋ＝０、アップリンクではｋ＝４である）。
【００４６】
スケジューリングされるＬＡＡ  ＵＥは、サブフレームｎにおいてＵＬグラントを受信すると、ＦＤＤ  ＨＡＲＱタイミングに基づき、サブフレームｎ＋４におけるＰＵＳＣＨ送信を開始する前にチャネルを占有するため、スケジューリングされたアンライセンスキャリアに対してＬＢＴを実行する必要がある。ｅＮＢは、サブフレームｎにおいてＵＬグラントを送るときにはＵＥ側におけるＬＴＢの結果を予測することができず、サブフレームｎ＋４にスケジューリングされるＰＵＳＣＨのためのチャネルをＵＥが占有するものと予期してＵＬグラントを送る以外に選択肢がない。しかしながら、ＵＥがアップリンク送信に必要なＬＢＴを時間内に完了できない場合、スケジューリングされたＰＵＳＣＨを、スケジューリングされたサブフレームにおいて送信することができず、この結果として、ＵＬグラントのためのリソースが無駄になるのみならず、ＰＵＳＣＨ送信のためのＵＬリソースも無駄になる。ＬＡＡ  ＵＬ送信は、より少ないスケジューリングオーバーヘッドでＬＡＡのチャネルアクセス機会が増加するように設計されるべきである。
【００４７】
アンライセンスキャリアにおけるＰＵＳＣＨをスケジューリングするためのシグナリングオーバーヘッドを最小にしながらチャネルアクセス機会を増加させるため、マルチサブフレームスケジューリングが考えられている。マルチサブフレームスケジューリングでは、ＵＥは、ＬＢＴに成功すると、１つのＵＬグラントによって、スケジューリングされたサブフレームにおける１つまたは複数のサブフレームにおいてＰＵＳＣＨを送信することができる。ＤＬの需要は低いがＵＬの需要が高い場合、ＵＬグラントを送るための不必要なＤＬ送信を回避するためにマルチサブフレームスケジューリングをサポートすることは有利である。この場合、ＵＬグラントを送るためのシグナリングオーバーヘッドが節約されるのみならず、別のノードとの全体的な干渉が減少する。
【先行技術文献】
【非特許文献】
【００４８】
【非特許文献１】3GPP TS 36.211, “Evolved Universal Terrestrial Radio Access (E-UTRA); Physical channels and modulation”, from June 2016 v. 13.2.0
【非特許文献２】3GPP TS 36.211, “Evolved Universal Terrestrial Radio Access (E-UTRA); Physical Channels and Modulation (Release 8)”
【非特許文献３】3GPP TS 36.213, “Evolved Universal Terrestrial Radio Access (E-UTRA); Physical layer procedures”, v13.2.0
【非特許文献４】3GPP TS 36.212, “Multiplexing and channel coding”, from June 2016, v13.2.0
【非特許文献５】LTE - The UMTS Long Term Evolution - From Theory to Practice, Edited by Stefanie Sesia, Issam Toufik, Matthew Baker
【非特許文献６】3GPP TR 36.889, v13.0.0 of June 2015, titled “Study on Licensed-Assisted Access to Unlicensed Spectrum”
【非特許文献７】ＥＴＳＩ  ３０１  ８９３
【非特許文献８】3GPP RAN1 contribution R1-160557 titled “Discussion on multi-subframe scheduling for UL LAA”, Meeting #84 in Malta, February 2016
【発明の概要】
【発明が解決しようとする課題】
【００４９】
本発明を制限することのない例示的な一実施形態は、効率的な制御情報の最小単位（granularity）を依然として提供しながら、複数サブフレーム割当てを使用する装置および方法、を提供する。
【課題を解決するための手段】
【００５０】
一般的な一態様においては、本明細書に開示されている技術は、通信システムにおいて複数のサブフレームのためのリソースグラントを受信する装置であって、複数のサブフレームおよび各サブフレームの複数のコードワードのためのリソースグラントと、複数のサブフレームに共通のプリコーディング指示情報と、グラントされる複数のサブフレームに共通でありかつ複数のコードワードそれぞれに個別の変調・符号化方式（ＭＣＳ）インジケータであって、ＭＣＳインジケータが、複数のＭＣＳの１つを示す値とＭＣＳを示していない少なくとも１つの値とを含む複数の値、の１つをとる、変調・符号化方式（ＭＣＳ）インジケータと、を含む制御情報、を備えている信号、を受信する送受信機と、複数のコードワードの少なくとも１つに対するＭＣＳインジケータが、ＭＣＳを示していない値を有する場合には、複数のサブフレームにおける複数のコードワードからのコードワードが無効化されることを決定し、そうでない場合には無効化されないことを決定するように構成されている処理デバイスと、を備えている、装置、を提供する。
【００５１】
一般的な別の態様においては、本明細書に開示されている技術は、通信システムにおいて複数のサブフレームのためのリソースグラントを受信する装置であって、複数のサブフレームおよび各サブフレームの複数のコードワードのための共通のリソースグラントと、複数のサブフレームそれぞれの１つまたは複数のコードワードの有効化または無効化を示すコードワード指示情報と、を含む制御情報、を備えている信号、を受信する送受信機と、各サブフレームについて、そのサブフレームにおける複数のコードワードからのコードワードがコードワード指示情報に従って有効化されるかまたは無効化されるか、および／または、どのコードワードが有効化または無効化されるかを、決定するように構成されている処理デバイスと、を備えている、装置、を提供する。
【００５２】
なお、一般的または特定の実施形態は、信号、システム、方法、集積回路、コンピュータプログラム、記憶媒体、またはこれらの任意の選択的な組合せ、として実施できることに留意されたい。
【００５３】
開示されている実施形態のさらなる恩恵および利点は、本明細書および図面から明らかになるであろう。これらの恩恵および／または利点は、本明細書および図面の様々な実施形態および特徴によって、個別に得ることができ、このような恩恵および／または利点の１つまたは複数を得る目的で、実施形態および特徴すべてを設ける必要はない。
【００５４】
以下では、例示的な実施形態について、添付の図面を参照しながらさらに詳しく説明する。
【図面の簡単な説明】
【００５５】
【図１】３ＧＰＰ  ＬＴＥシステムの例示的なアーキテクチャを示す。
【図２Ａ】３ＧＰＰ  ＬＴＥ（リリース８／９）において定義されているサブフレームのダウンリンクスロットの例示的なダウンリンクリソースグリッドを示す。
【図２Ｂ】３ＧＰＰ  ＬＴＥ（リリース８／９）において定義されているサブフレームのアップリンクスロットの例示的なアップリンクリソースグリッドを示す。
【図３】様々なライセンスセルおよびアンライセンスセルを含む、ライセンス補助アクセスの例示的なシナリオを示している。
【図４】アンライセンスバンドにおける送信タイミングを概略的に示しており、様々な期間、すなわちチャネル占有時間、アイドル期間、および固定フレーム期間（Fixed Frame Period）を含む。
【図５】変調次数およびトランスポートブロックインデックス、ならびに冗長バージョンに関連付けられるＭＣＳインデックスを示しているＭＣＳテーブルである。
【図６】複数サブフレーム割当てのシグナリングの現在の設計をまとめた表である。
【図７Ａ】２つのアンテナポートの場合のＭＩＭＯ関連情報のシグナリングを示している表である。
【図７Ｂ】４つのアンテナポートの場合のＭＩＭＯ関連情報のシグナリングを示している表である。
【図８】一実施形態に係る装置を示しているブロック図である。
【図９Ａ】アップリンクの場合の例示的なＯＦＤＭ送信機を示しているブロック図である。
【図９Ｂ】ダウンリンクの場合の例示的なＯＦＤＭ送信機を示しているブロック図である。
【図１０】一実施形態に係る方法を示している流れ図である。
【図１１】一実施形態に係る方法を示している流れ図である。
【発明を実施するための形態】
【００５６】
「移動局（mobile station）」、「移動ノード（mobile node）」、「ユーザ端末（user terminal）」または「ユーザ機器（user equipment）」は、通信ネットワーク内の物理エンティティである。１つのノードがいくつかの機能エンティティを有することができる。機能エンティティとは、所定の一連の機能を実施する、および／または、所定の一連の機能をノードまたはネットワークの別の機能エンティティに提供するソフトウェアモジュールまたはハードウェアモジュールを意味する。ノードは、通信機器または通信媒体にノードをアタッチする１つまたは複数のインタフェースを有することができ、ノードはこれらのインタフェースを通じて通信できる。同様に、ネットワークエンティティは、機能エンティティを通信機器または通信媒体にアタッチする論理インタフェースを有することができ、ネットワークエンティティは論理インタフェースを通じて別の機能エンティティや通信相手ノードと通信できる。
【００５７】
特許請求の範囲および本出願において使用されている用語「無線リソース（radio resource）」は、物理無線リソース（時間−周波数リソースなど）を意味するものと広義に理解されたい。
【００５８】
特許請求の範囲および本出願において使用されている用語「アンライセンスセル」あるいは「アンライセンスキャリア」は、アンライセンス周波数帯域におけるセル／キャリアとして広義に理解されたい。これに対応して、特許請求の範囲および本出願において使用されている用語「ライセンスセル」あるいは「ライセンスキャリア」は、ライセンス周波数帯域におけるセル／キャリアとして広義に理解されたい。これらの用語は、例示的には、リリース１２／１３の時点の３ＧＰＰおよび作業項目「Licensed-Assisted Access（ライセンス補助アクセス）」の文脈において理解されたい。
【００５９】
物理ダウンリンク共有チャネル（ＰＤＳＣＨ）または物理アップリンク共有チャネル（ＰＵＳＣＨ）で送信されるトランスポートブロック（ＴＢ）は、ＰＤＳＣＨまたはＰＵＳＣＨ自体を送信する前に準備しなければならない。ＭＡＣ層の特定のＨＡＲＱプロセスキューから、特定の数のビット（トランスポートブロックサイズ（ＴＢＳ）によって与えられる）が取り出され、対応するＭＡＣヘッダと一緒に下層のＰＨＹ（物理層）に渡される。
【００６０】
背景技術のセクションで上述したように、コードワードとトランスポートブロックの間には１対１のマッピングが存在する。トランスポートブロック１がコードワード０にマッピングされトランスポートブロック２がコードワード１にマッピングされる、または、トランスポートブロック２がコードワード０にマッピングされトランスポートブロック１がコードワード１にマッピングされるかは、静的な規則、設定、またはダウンリンク制御情報に含まれるメッセージのいずれかを通じて、事前に既知である。簡潔さのため、本説明ではコードワードの有効化および無効化について論じている。しかしながら、本説明は、「コードワード」のみならず「トランスポートブロック」にも等しくあてはまることを理解されたい。したがって実施形態および例は、有効化／無効化されるコードワードに適用されることに加えて、またはこれに代えて、有効化／無効化されるトランスポートブロックにも適用されることを理解されたい。
【００６１】
図６は、アンライセンスキャリアにおいてグラントされるリソースに適用可能なアップリンクグラントに使用される専用制御情報（ＤＣＩ）に関して、３ＧＰＰ内で現在検討されているいくつかの合意事項を要約した表を示している。具体的には、左の列にはＤＣＩのフィールドがリストされている。中央の列および右の列は、それぞれＤＣＩフォーマット０ＢおよびＤＣＩフォーマット４Ｂを示しており、マルチサブフレームグラントの場合にそのＤＣＩフィールドを定義することのできる最小単位も示してある。ＤＣＩフォーマット０ＢおよびＤＣＩフォーマット４Ｂは、現在使用されているＤＣＩフォーマット０およびＤＣＩフォーマット４に付属することになっている。
【００６２】
ＤＣＩフォーマット４は、マルチアンテナポート送信モードの場合に１つのＵＬセルにおけるＰＵＳＣＨのスケジューリング用に現在使用されており、特に、２つのコードワード（トランスポートブロック）それぞれに対して、図５に示したように定義されているＭＣＳインデックス（５ビット）と、ＮＤＩ（１ビット）とを含む。さらに、ＴＰＭＩおよびレイヤ数を示すため、３ビットまたは６ビットのプリコーディング情報フィールドが含まれる。
【００６３】
表において、語「共通」は、ＤＣＩの各フィールドが、マルチサブフレームグラントによってカバーされるすべてのサブフレームと、マルチレイヤ送信が適用される場合にはすべてのコードワードとに適用されることを意味する。例えばリソース割当てフィールドは、サブフレームおよびコードワードあたり割り当てられるリソースブロックを定義する。この場合、リソースブロック割当ては、複数のサブフレームそれぞれに対して、サブフレームのコードワードそれぞれに適用される。
【００６４】
ＤＣＩフォーマット０ＢおよびＤＣＩフォーマット４Ｂは、全般に、上述したＤＣＩフォーマット０およびＤＣＩフォーマット４に対応するが、これらＤＣＩフォーマット０Ｂ，４Ｂはマルチサブフレームグラントを提供する。すなわちＤＣＩフォーマット０Ｂは、シングルアンテナポート送信に適用可能であり、これに対してＤＣＩフォーマット４Ｂは、マルチアンテナポート送信に適用可能である。図６の表において理解できるように、ＤＣＩフォーマット０Ｂは、１つのコードワードに対応するのみであり、マルチアンテナ送信をサポートしないため、プリコーディング情報を伝えない。これに対してＤＣＩフォーマット４Ｂは、マルチアンテナポート送信をサポートし、したがってそれぞれのレイヤ／コードワードの特性を含むことができる。したがって、フォーマット０Ｂおよびフォーマット４Ｂによる、いくつかのＤＣＩフィールドの使用法は異なりうる。図６において、複数のコードワードが存在するときには各コードワードに対して変調・符号化方式を有利に提供することができる。しかしながら、各サブフレームに対してＭＣＳを提供することは不必要であると考えられ、なぜなら、チャネル品質がそのように高速で本質的に変化する可能性は低く、またｅＮＢがＤＣＩを送信するときに、十分に高速で変化するチャネル条件に関する十分な情報を使用する目的で、そのような情報を有することができるかが明らかではないためである。ＤＣＩフォーマット４Ｂによってプリコーディング情報を伝えるかと、どのように伝えるかについては、現時点では明確になっていない。
【００６５】
図６において理解できるように、フィールドのいくつかは、複数のサブフレームそれぞれに対して提供される。例えば新規データインジケータは各サブフレームに必要であり、なぜなら各サブフレームは異なるデータを伝え（なぜなら異なるＴＴＩがそれぞれのサブフレームにマッピングされるため）、したがって各サブフレームが個別に再送信されうるためである。これに対応して、冗長バージョンもサブフレーム単位で必要である。なお、フォーマット０およびフォーマット４のレガシーＤＣＩにおける冗長バージョンは、４つの定義済みの値のセットから選択されることに留意されたい。図６の表では、冗長バージョンは個別のフィールドであり、サブフレームあたり１ビットを有する。一般的には、冗長バージョンの２つの値を区別するための１ビットで十分であるはずであり、なぜならマルチサブフレーム設定における再送信の回数は低く維持されるであろうと推測されるためである。１個のＲＶ（冗長バージョン）ビットは２つの可能な状態を表すため、現在、第１のＲＶ状態がＲＶ０を表し、第２のＲＶ状態がＲＶ２を表すものと想定されている。なお、図６の表は検討の現在の状況をまとめたものにすぎず、依然として変更されうるため、この表は、マルチサブフレームグラントのための新規のＤＣＩフォーマットの単なる例であることに留意されたい。
【００６６】
「スケジューリングされるサブフレームの数」フィールドを除いて、図６に示したすべてのフィールドは、１つのサブフレームを対象にアンライセンスキャリアにおいてリソースをスケジューリングする新規のＤＣＩフォーマット（仮にＤＣＩフォーマット０ＡおよびＤＣＩフォーマット４Ｂと称し、それぞれ全般的にＤＣＩフォーマット０およびＤＣＩフォーマット４に対応する）にも適用可能である。リソースが１つのサブフレームのみに対して割り当てられるため、図６において「サブフレームごと」と記載されているいくつかのフィールドは、示されているサブフレームに対してのみ適用可能である。
【００６７】
マルチレイヤ送信に関して、ＬＴＥの以前のリリースでは、コードワードを無効化するための様々なメカニズムが提供された。上述したように、ＬＴＥのアップリンクでは、現在、最大で４つのレイヤがサポートされる。２（または３以上の）レイヤ送信の設定においては、特に２レイヤ送信との組合せにおいてめったに使用されないＤＣＩフィールドの特定の組合せによって、１つのコードワードを動的に無効化することができる。特に、リリース８では、ＤＣＩフォーマット２およびＤＣＩフォーマット２Ａ（これに加えて、以降のＬＴＥリリースで導入されたフォーマット２Ｂ、フォーマット２Ｃ、およびフォーマット２Ｄ）を使用することによって、ダウンリンクのコードワードを無効化することが可能である（アップリンクにおいてはこのリリースにはＭＩＭＯが存在しない）。ＭＣＳインデックスが０に等しく（ＩＭＣＳ＝０）かつ冗長バージョンが１に等しい（ｒｖｉｄｘ＝１）場合、コードワードが無効化される。この場合、設定可能な最も堅牢な変調方式としてのＱＰＳＫ変調方式は、ほとんどの場合、可能な冗長バージョンのすべてが必要ではないように十分な品質を提供するものと想定する。値１を有する冗長バージョンは、適用される冗長バージョンの順序０，２，３，１における最後の冗長バージョンである。
【００６８】
リリース１３では、コードワードを無効化するための２つのさらなる可能な方法が定義された。ＤＣＩフォーマット４においてＭＣＳインデックスと物理リソースブロック（ＰＲＢ）の数の特定の組合せの場合に、コードワードが無効化される。具体的には、ＤＣＩフォーマット４において、ＭＣＳインデックスが０に等しく（ＩＭＣＳ＝０）、一方でＰＲＢの数が２以上である（ＮＰＲＢ＞１）場合、コードワードが無効化される。さらに、ＭＣＳインデックスが２８に等しく（ＩＭＣＳ＝２８）、かつＰＲＢの数が１に等しい（ＮＰＲＢ＝１）場合、コードワードが無効化される。これらの組合せは、アップリンクには電力制限が存在することを考慮することによって選択された。最も小さいＭＣＳが使用される場合、そのことはチャネル条件が特に良好ではないことを意味する。１つのみのＰＲＢでは、正常な送信が可能であるように、より高い電力を適用することができる。しかしながら、ＰＲＢの数が大きくなるにつれて、電力が拡散され、正しく受信される確率は低い。したがってマルチレイヤ送信が適用される場合、最小のＭＣＳインデックスが、大きな数のＰＲＢと一緒に使用される可能性は小さい。一方で、ＭＣＳを定義する最大のＭＣＳインデックスの場合、チャネル品質が極めて高い可能性が大きい。したがって、このような高いチャネル品質の場合に１つのみのＰＲＢが設定される可能性は小さい。
【００６９】
コードワードの無効化は、主として、増大したカバレッジまたは堅牢な再送信が望ましい場合に有用である。ＵＥは、全体的なカバレッジを増大させる目的で、シングルコードワード送信用のビームフォーミングを採用することができる。シングルコードワード送信用のビームフォーミングによって、ＳＩＮＲも改善することができ、したがって、ビームフォーミングされないシングルアンテナポート送信と比較して、より高いアップリンクスループットを得ることができる。
【００７０】
さらに、前のマルチコードワード送信における１つのコードワードのみを再送信する必要がある場合、コードワード間の干渉を低減する目的で、第２のコードワードを無効化することが有利である。
【００７１】
しかしながら、マルチサブフレームグラントを適用する場合、これらの既存の解決策は適切ではなくなることがある。特に、０に等しいＭＣＳの値のみを使用することよって、対応するＰＵＳＣＨ送信のカバレッジが制限されることがある。一方で、２８に等しいＭＣＳのみを使用することよって、マルチサブフレーム（ＭＳＦ）グラントによって示されるＰＵＳＣＨ送信のスループットが制限されることがある。
【００７２】
各サブフレームに対して、１ビットの冗長バージョンのみが現在検討されていることを考えると（図６を参照）、条件として冗長バージョンインデックスを使用することも適切ではないことがある。さらに、冗長バージョンは、そのサブフレームにおける両方のコードワードに共通である。さらには、割り当てられるＰＲＢの数を条件として使用することも、場合によっては適切ではないことがあり、なぜならリソースブロック割当てが両方のコードワードにおいてすべてのサブフレームに共通であるためである。これに加えて、アンライセンスキャリアにおいてグラントされる、送信用の最小リソース割当ては、現時点では１０個のＰＲＢである。
【００７３】
これらの問題を克服する目的で、本開示は、マルチレイヤ設定においてマルチサブフレームＤＣＩによってコードワードを無効化するための効率的なシグナリングを提供する。
【００７４】
［ＭＣＳレベルによる無効化］
アップリンクＬＡＡ（アンライセンス帯域幅）では、最小リソース割当ては１０個のＰＲＢである。一般的には、最小リソース割当ては、システムにおける最小の割当て可能単位（ＬＴＥではＰＲＢ）の設定された倍数とすることができる。したがって、１つまたは複数のコードワードの有効化／無効化を、割り当てられるＰＲＢの数に関する条件との組合せにおける特定のＭＣＳフィールド値によって示すことができる。無効化のためのこのような例示的な条件は以下のとおりである。
−  最小のＭＣＳインデックス（例：ＭＣＳ＝０、最も堅牢な変調および符号化率を示すＭＣＳ）と、事前に定義される、または事前に設定される最小の割当て可能な複数個のＰＲＢより大きい、割り当てられるＰＲＢの数（例：ＬＡＡの場合には１０個より大きい数のＰＲＢを割り当てる）。
−  最大のＭＣＳインデックス（例：ＭＣＳ＝２８、最低の堅牢性の変調および符号化率を示すＭＣＳ）と、事前に定義される、または事前に設定される最小の割当て可能な複数個のＰＲＢに等しい、割り当てられるＰＲＢの数（例：ＬＡＡの場合には１０個のＰＲＢを割り当てる）。
【００７５】
例えば、シングルサブフレーム割当て（ＤＣＩフォーマット４Ａ）を使用するＬＡＡにおいて、コードワードを無効化するために上の無効化条件を採用することができる。ＤＣＩフォーマット４Ａでは、最小の割当ては同じく１０個のＰＲＢである。これらの条件をマルチサブフレーム割当て（ＤＣＩフォーマット４Ｂ）に適合させることができ、したがって、最小のＭＣＳインデックスと、事前に定義される、または事前に設定される最小の割当て可能単位より多くのＰＲＢを割り当てることの組合せによって、そのＤＣＩによってスケジューリングされる各サブフレームにおいて１つのコードワードが無効化されることが決まる、および／または、最大のＭＣＳインデックスと、事前に定義される、または事前に設定される最小の割当て可能単位のＰＲＢを割り当てることとの組合せによって、そのＤＣＩによってスケジューリングされる各サブフレームにおいて１つのコードワードが無効化されることが決まる。
【００７６】
一実施形態によれば、コードワードが無効化されることをシグナリングするために、０以外の冗長バージョンを示す目的に従来割り当てられているＭＣＳレベルの１つまたは複数が使用される。例えばＬＴＥでは、０以外の冗長バージョンを示すために使用されるＭＣＳレベルは、ＩＭＣＳ＝２９，３０，３１である。
【００７７】
しかしながら、本開示は、ＬＴＥ／ＬＴＥ−Ａシステム、または将来的なその発展形態に限定されないことに留意されたい。この実施形態では、一般的には、変調・符号化方式を示す以外の目的に使用されるいくつかの値を有する、変調・符号化方式をシグナリングするためのフィールドを再利用して、それらの値を別の目的のために再解釈することによって、コードワードの無効化をシグナリングする。
【００７８】
この実施形態における例示的な制御情報は、複数のサブフレームおよび各サブフレームの複数のコードワードのためのリソースグラントと、グラントされる複数のサブフレームに共通でありかつ複数のコードワードそれぞれに個別の変調・符号化方式（ＭＣＳ）インジケータと、を含む。ＭＣＳインジケータは、複数のＭＣＳの１つを示す値とＭＣＳを示していない少なくとも１つの値とを含む複数の値、のうちの１つをとることができる。ＭＣＳを示していない値を有する、複数のコードワードの少なくとも１つに対するＭＣＳインジケータは、コードワードの無効化をシグナリングする。
【００７９】
例えば、２つの送信レイヤの場合における制御情報は、２つのそれぞれのコードワードに対する２つのＭＣＳフィールド（ＭＣＳ１，ＭＣＳ２）を含む。ＭＣＳテーブルは、現在のＬＴＥ標準規格（図５を参照）と同じに維持することができ、制御情報は、マルチサブフレームグラントに使用されるフォーマット（上述したＤＣＩフォーマット４Ｂなど）を有する専用制御情報（ＤＣＩ）に対応することができる。グラントされるすべてのサブフレームにおいてコードワードの一方が無効化される場合、対応するＭＣＳフィールドは、冗長バージョン値２９，３０，３１のうちの値に設定される。例えば、ＭＣＳ１インジケータが０〜２８の範囲内の値を有し、一方でＭＣＳ２インジケータが２９〜３１の範囲内の値を有する場合、第１のコードワードＣＷ０が送信され、第２のコードワードＣＷ１が無効化される。これに対して、ＭＣＳ１インジケータが２９〜３１の範囲内の値を有する一方で、ＭＣＳ２インジケータが０〜２８の範囲内の値を有する場合、第１のコードワードＣＷ０が無効化され、第２のコードワードＣＷ１が送信される。
【００８０】
しかしながら、別の設定も可能である。例えば、ＭＣＳを示していないＭＣＳインジケータのうち、コードワードを無効化する１つの特定の値が存在してもよい。例えば、上の例における値３１のみを、対応する第１のコードワードまたは第２のコードワードを無効化するために使用することができる。２９および３０などの残りの値は、別の目的（冗長バージョンのシグナリングや、任意の別のパラメータのシグナリングなど）に使用することができる。値２９（すなわち再送信において利用頻度が最も少ない冗長バージョン（ＲＶ１）に関連付けられる値）を選ぶことは有利であり、なぜなら残りの値３０および値３１は、通信システムにおいて元々意図されているように、それぞれ冗長バージョン２および冗長バージョン３を示すために依然として利用されうるためである。
【００８１】
上述したシグナリングの利点の１つとして、マルチサブフレームグラントにおいてシングルレイヤビームフォーミングがサポートされる。また、制御情報の一部であるＭＣＳのいくつかのシグナリングポイント（signaling point）のみを再利用することによって、コードワードを無効化するために余分なシグナリングビットが必要ない。これにより、最も重要なリンクアダプテーションが依然として可能であるままで、コードワードを無効化する効率的な方法が提供される。
【００８２】
しかしながら本開示は、コードワードの無効化がＭＣＳインジケータの特定の値によってのみ示される上の例によって制限されない。例えば、サブフレームベースのコードワードの無効化をサポートする目的に、ＭＣＳレベルに加えて、サブフレームごとに異なる冗長バージョン（ＲＶ）フィールドを使用することができる。冗長バージョンフィールドは、例えば上に説明した図６に示したように制御情報に含めることができ、この場合、ＤＣＩフォーマット４Ｂにおける冗長バージョンフィールドは、両方のコードワードに共通であるが、各サブフレームに対して別々（個別）であり、１ビットの長さを有する。
【００８３】
特に、特定のＭＣＳインジケータ（フィールド）の値と、サブフレームに固有なＲＶフィールドの値とが一緒に連携して、有効化／無効化されるコードワードと、適用される冗長バージョンとを示すことができる。
【００８４】
例えば、ＭＣＳ１が０〜２８の範囲内の値を有し、ＭＣＳ２が値２９を有する場合に、（１ビット（例えばビット値０）によって区別することのできる２つの状態のうちの）第１のＲＶ状態が示されるならば、コードワード１が無効化される。コードワード０はＭＣＳ１およびＲＶ２を採用し、すなわち再送信は、前の送信がＲＶ０を使用して行われたものと想定して実行される。これに対して第２のＲＶ（例：ビット値１）状態が示されるならば、コードワード１は無効化されない。コードワードＣＷ０およびコードワードＣＷ１の両方がＭＣＳ１およびＲＶ２を使用して送信され、すなわち再送信は、前の送信がＲＶ０を採用したものと想定して実行される。
【００８５】
ＭＣＳ１が０〜２８の範囲内の値を有し、ＭＣＳ２が値３０を有する場合に、第１のＲＶ状態が示されるならば、コードワード０が無効化される。コードワード１（ＣＷ１）は、（新規データインジケータ（ＮＤＩ）の値に応じて最初の送信または再送信として）ＭＣＳ１およびＲＶ０を使用する。これに対して、第２のＲＶ状態が示されるならば、コードワード１が無効化され、一方でコードワード０はＭＣＳ１およびＲＶ０を使用する（同様にＮＤＩ値に応じて再送信または新規データ送信のいずれかである）。
【００８６】
さらには、ＭＣＳ１が０〜２８の範囲内の値を有し、ＭＣＳ２が値３１を有する場合に、第１のＲＶ状態が示されるならば、コードワード０が無効化され、コードワード１はＭＣＳ１およびＲＶ２を採用し、すなわち再送信は、前の送信が０に等しい冗長バージョン（ＲＶ０）を採用したものと想定して実行される。これに対して第２のＲＶ状態が示されるならば、コードワード１が無効化され、一方でコードワード０はＭＣＳ１およびＲＶ２を使用する。
【００８７】
なお、上の例は本開示を制限しないことに留意されたい。上の例は、ＭＣＳインジケータの値と冗長バージョンフィールドの値の組合せを解釈することによって、制御情報に追加のフィールドを含めることなくコードワードの無効化または有効化をサブフレーム単位でどのようにシグナリングすることができるかを説明しているにすぎない。一般的には、２つのコードワードの場合、（それぞれの２つのコードワードに対応する２つのＭＣＳインジケータのうちの）一方のＭＣＳインジケータが、有効化されるコードワードのＭＣＳを示す。もう１つのＭＣＳインジケータは、ＭＣＳを示していない値をとるが、冗長バージョンフィールドの値と一緒に、２つのコードワードのどちらが無効化されるか、またはいずれのコードワードも無効化されないことと、有効化されるコードワードにどの冗長バージョンが適用されるかを示す。
【００８８】
ＭＣＳ１が２９〜３１の値をとり、ＭＣＳ２が０〜２８の値をとる、さらなる実施形態が可能である。例えば、さらに別の冗長バージョンの値が適用されることを、このような組合せによってシグナリングすることができる。
【００８９】
上の例では、利点の１つとして、ＬＴＥにおいて現在定義されているＭＣＳテーブルを再利用することができる。したがってＭＣＳインジケータは、３２個の可能なＭＣＳ値が表される５ビットの長さを維持する。レガシーアップリンクグラントにおいては、これらの値は、ＭＣＳ（値０〜２８）と、０以外の冗長バージョン（値２９〜３１）を示すために使用される。アップリンクのマルチサブフレームグラントにおいては、これらの値を、ＭＣＳ（値０〜２８）と、コードワードの有効化／無効化（値２９〜３１）を示すために使用することができる。しかしながら、これらは本開示を制限しないことに留意されたい。一般的には、３つ以上のレイヤと、したがって３つ以上のコードワードが存在することがある。したがってＭＣＳは、すべてのサブフレームにおいて、またはサブフレームごとに、コードワードのどれが無効化されるかを、（場合によっては、２つのコードワードについて上に示したように、いくつかのＭＣＳインジケータ値とＲＶフィールド値との組合せを使用して）示すことができる。
【００９０】
さらに、上の例では、ＭＣＳをシグナリングする目的にも、ＭＣＳを示す値（０〜２８）すべてを採用することによって、レガシーＭＣＳテーブルを再利用した。レガシーシステムにおいて０以外の冗長バージョンをシグナリングするために使用される特殊な値２９〜３１のみを、コードワードの無効化を示す目的に再解釈した。しかしながら本開示は、このようなＭＣＳ値のマッピングによって制限されない。例えば、コードワードの有効化／無効化を示すために、ＭＣＳインジケータのいくつかのさらなる値を使用することができる。
【００９１】
なお、本実施形態（コードワードが無効化されることをシグナリングするために、ＭＣＳを示していないＭＣＳフィールドレベルの１つまたは複数が使用される）は、一般的には、複数サブフレーム割当てに限定されない。例えば、シングルサブフレーム割当て（ＤＣＩフォーマット４Ａ）を使用するＬＡＡにおいて、この実施形態（およびその上述した例のいずれか、ただしシングルサブフレームグラントに適用可能ではないサブフレーム単位での解決策を除く）を採用することができる。この実施形態では、制御情報が、（制御情報によって伝えられるグラントが適用される対象の）複数のサブフレームに共通のプリコーディング指示情報も含むことが有利である。このプリコーディング指示情報は、レガシーＤＣＩフォーマット４のフィールドに対応する、制御情報内のフィールドとすることができる。
【００９２】
［ＴＰＭＩの決定］
マルチレイヤ送信をサポートするマルチサブフレームスケジューリングでは、上述したようにプリコーディング情報フィールドを含めることが有利である。シングルサブフレームスケジューリングでは、プリコーディング情報は、現在、送信レイヤの数と一緒に送信プリコーディング行列インデックス（ＴＰＭＩ）を示すプリコーディング情報フィールドの中でシグナリングされる。
【００９３】
２つのアンテナポートの場合に使用するための、ＤＣＩフォーマット４におけるプリコーディング情報フィールドは、３ビットを有し、８つの異なる値に割り当てられる、ＴＰＭＩとレイヤ数の８つの組合せをシグナリングすることができる。４つのアンテナポートの場合に使用される、ＤＣＩフォーマット４におけるプリコーディング情報フィールドは、６ビットを有し、したがってＴＰＭＩとレイヤ数の組合せが６４個の異なる値をとることが可能である。このことは、現在、非特許文献４（３ＧＰＰのウェブサイトにて無料で入手可能であり、参照により本明細書に組み込まれている）の表５．３．３．１．８−１に規定されている。
【００９４】
図７は、２つのアンテナポートの場合（図７Ａ）および４つのアンテナポートの場合（図７Ｂ）の、プリコーディング情報フィールドの値と、これらの値の対応する意味とを示している。これらの表は、それぞれ、非特許文献４における表５．３．３．１．８−２および表５．３．３．１．８−３に対応している。具体的には、図７Ａは２つの表（１つは最初の２列、もう１つは次の２列）を示しており、これら２つの表は、それぞれ、１つの有効化されるコードワード、および、２つの有効化されるコードワードを対象とする。最初の列および３番目の列には、ＤＣＩに含まれるプリコーディング情報のビットフィールドの値を示してある。２番目の列および４番目の列には、レイヤ数とＴＰＭＩの対応する関連する組合せが指定されている。１つのコードワードが有効化される場合、プリコーディング情報フィールドのインデックス０〜５に対応する、ＴＰＭＩの６つの異なる値が選択可能である。インデックス６，７は予約されている。両方のコードワードが有効化される場合、現在ではインデックス０に対応する１つのＴＰＭＩのみがサポートされているのに対して、インデックス１〜７は予約されている。
【００９５】
図７Ｂでは、１つのコードワードが有効化される場合、エントリ０〜３９は、レイヤ数（１または２である）とＴＰＭＩ（値０〜２３をとりうる）との組合せを示す。プリコーディング情報フィールドの値４０〜６３は予約されている。これに対して、両方のコードワードが有効化される場合、プリコーディング情報フィールドの値０〜２８は、レイヤ数（２〜４をとりうる）とＴＰＭＩ（０〜１５をとりうる）との組合せを示す。値２９〜６３は予約されている。
【００９６】
２つのアンテナポートの場合のＴＰＭＩは、非特許文献１の表５．３．３Ａ．２−１におけるどのコードブックインデックスが使用されるかを示しており、４つのアンテナポートの場合のＴＰＭＩは、非特許文献１の表５．３．３Ａ．２−２、表５．３．３Ａ．２−３、表５．３．３Ａ．２−４、および表５．３．３Ａ．２−５におけるどのコードブックインデックスが使用されるかを示している。コードブックインデックスは、特定のプリコーディング行列に関連付けられている。
【００９７】
シグナリング情報のオーバーヘッドコストをできる限り小さく維持すると同時に、レガシーＤＣＩ（４）に似た新規のＤＣＩ（４Ｂ）を維持する目的で、プリコーディング情報フィールドの同じ長さを保つことが有利である。このことは、チャネル条件が変化することが予期されない場合、または変化するチャネル条件に関する情報が利用可能ではない場合に、特に有利である。これに対して、送信パラメータをより細かく制御するために、個々のサブフレームのレイヤ数およびＴＰＭＩを提供することが有利なことがあり、これは、スケジューリング期間全体にわたり様々なチャネル条件が予測されうる場合に特に有利である。
【００９８】
上に説明したように、サブフレーム単位で１つのコードワードを有効化／無効化することが可能である。したがって、少なくとも２つの異なる場合（１つのコードワードが有効化される、または両方のコードワードが有効化される）のためのプリコーディング情報をシグナリングすることが望ましい。
【００９９】
第１の例によれば、第２のプリコーディング情報フィールドを提供することができ、このフィールドは、１つのコードワードのみが有効化されるサブフレームのレイヤ数およびＴＰＭＩを示す（ここでは、両方のコードワードが有効化される場合の第１のプリコーディング情報フィールドもＤＣＩに含まれるものと想定する）。第２のフィールドは、図７に示した方法と同様にレイヤ数およびＴＰＭＩを示すことができる。言い換えれば、マルチサブフレームグラントを含むＤＣＩは、１つのコードワードが有効化されるか、２つのコードワードが有効化されるかを、サブフレーム単位で示すことができる。したがって、２つのプリコーディング情報フィールド、すなわち、両方のコードワードが有効化される場合のレイヤ数およびＴＰＭＩを示す第１のプリコーディング情報フィールドと、１つのコードワードのみが有効化される場合のレイヤ数およびＴＰＭＩを示す第２のプリコーディング情報フィールド、を提供することができる。これら２つのプリコーディング情報フィールドは、図７に示した方法と同様に定義することができる。
【０１００】
しかしながら、これに代えて、シグナリングデータの要件を低減する目的で、事前に設定された組合せの間で動的に選択するために、限られた数のビットを使用することができる。ここで、語「限られた」とは、組合せの数が、（例えばライセンスキャリアにおいて）ＤＣＩフォーマット４によるスケジューリングの場合にプリコーディング情報用に規定されている組合せの数より小さいことを意味する。
【０１０１】
図７Ｂの表の左側部分を例示的に参照すると、送信レイヤ数それぞれに対する選択可能なＴＰＭＩの数を、選択肢の総数が減少するようにサブサンプリングする（sub-sampled）。例えば、１レイヤ送信の場合にＴＰＭＩ値０〜２３のすべてを選択できるようにする代わりに、偶数のＴＰＭＩ値０，２，４，．．．，２２のみが利用可能である（またはこれに代えて、奇数のＴＰＭＩ値１，３，５，．．．２３のみが利用可能である）。同様に、２レイヤ送信の場合に、偶数のＴＰＭＩ値０，２，４，．．．，１４のみが利用可能である（またはこれに代えて、奇数のＴＰＭＩ値１，３，５，．．．１５のみが利用可能である）。このようにして、合計で２０個の値が利用可能であり、（４０個の値すべてを選択するための６ビットの代わりに）２０個の値は５ビットのフィールドによってシグナリングすることができる。
【０１０２】
サブサンプリングは、規則的なパターン（１つおきの値、２つおきの値など）でなくてもよく、なぜなら規則的なパターンでは、一般にはビットフィールド信号の容量が完全に利用されない。すなわちいま説明したように、係数２によるサブサンプリングでは、５ビットのフィールドサイズが必要であるが、このサブサンプリングでは、とりうる３２個の状態のうち２０個のみが利用される。３２個の状態すべてを利用することは、一例として、１レイヤ送信用に（定義されている２４個のＴＰＭＩ値のうち）１６個のＴＰＭＩ値を選択し、２レイヤ送信用に１６個のＴＰＭＩ値をそのまま維持することによって、達成することができる。このような不均一なサブサンプリングは、より最適化された２レイヤ送信をサポートするために有利である。これに代わる方法は、１レイヤ送信用に２４個のＴＰＭＩ値をそのまま維持し、２レイヤ送信用に（定義されている１６個のＴＰＭＩ値のうち）８個のＴＰＭＩ値を選択することである。後者は、１６個の値を係数２によってサブサンプリングする（例えば、偶数のＴＰＭＩのみを選択する、または奇数のＴＰＭＩのみを選択する）ことによって、容易に達成することができる。このような方法では、１レイヤ送信用のＴＰＭＩの選択肢すべてが確保され、このことは、アップリンク信号の拡張カバレッジにおいて最適なＳＩＮＲを達成するうえで有利である。同様に、第２のプリコーディング情報フィールドに例えば３ビットのみが使用されるべきである場合、レイヤ数とＴＰＭＩの異なる組合せの合計数４０個を、８個の組合せまでサブサンプリングする必要がある。これは、１レイヤ用に定義されている２４個のＴＰＭＩを係数３によってサブサンプリングし、２レイヤ用のＴＰＭＩをまったく含めないことによって、達成することができる。
【０１０３】
１つのコードワードが有効化され１つのコードワードが無効化されるサブフレームに適用可能である第２のプリコーディング情報フィールドを含めることの１つのさらなる利点として、第１のプリコーディング情報フィールドのサイズを小さくすることができる。第１のプリコーディング情報フィールドは、２つのコードワードが有効化される場合をカバーするのみでよいため、４つのアンテナポートの場合、状態０〜２８のみを表せばよい。これら２９個の状態は、５ビットによって表すことができ、したがって、４つのアンテナポートの場合のＤＣＩフォーマット４におけるプリコーディング情報フィールドのサイズと比較して１ビットを節約することができる。２つのアンテナポートの場合、ＤＣＩに第１のプリコーディング情報フィールドを含めることは、不必要にさえなり、言い換えればこのフィールドのサイズは０ビットで十分であり、なぜなら２レイヤとＴＰＭＩの組合せのみが定義されるためである。
【０１０４】
この方法は、サブフレームあたり３つ以上のコードワードがサポートされる場合に拡張することもできる。その場合、コードワードが無効化されないサブフレームに適用可能な第１のプリコーディング情報フィールドが提供され、０ではない第１の数のコードワードが無効化されるサブフレームに適用可能な第２のプリコーディング情報フィールドが提供され、０ではない第２の数のコードワードが無効化されるサブフレームに適用可能な第３のプリコーディング情報フィールドが提供され、以下同様である。言い換えれば、プリコーディング情報フィールドの数は、一般には、サブフレームにおいて有効化されうるコードワードの最大数を上限とし、好ましくは、サブフレームにおいて有効化されうるコードワードの最大数に一致する。
【０１０５】
第２の例によれば、１つのコードワードの場合のプリコーディング情報が、半静的に（例えば無線リソース制御プロトコル（ＲＲＣ）によって）設定される。言い換えれば、両方のコードワードの場合のプリコーディング情報（図７Ａおよび図７Ｂの右側を参照）が、マルチサブフレームグラントを伝えるＤＣＩに含められ、１つのコードワードのみが有効化される場合のプリコーディング情報が、ＲＲＣによってシグナリングされる。２つのコードワードの場合のＴＰＭＩは、主として、２つのコードワード間の干渉を最小にすることを目的とし、１つのコードワードの場合のＴＰＭＩは、主として、ビームフォーミングを通じてＳＩＮＲを改善することを目的とする。ビームフォーミングの最適なビーム方向は、多くのシナリオにおいて、送信機と受信機の間の見通し線に一致し、見通し線は、あまり移動しない端末の場合には比較的変化しない。逆に、符号間干渉を最小にするための最適なプリコーダは、多くのシナリオにおいて、できる限りチャネル間の相関をなくすように試み、この試みは、電波の伝搬環境内の障害物により大きく依存し、したがってより変動するものと予測できる。これらの理由のため、１つの有効化されるコードワードに対するプリコーディング情報を半静的なＲＲＣシグナリングに従い、その一方で、２つの有効化されるコードワードに対するプリコーディング情報が好ましくはＤＣＩの中で示される（したがって変化するチャネル条件に比較的迅速に適合させることができる）ことが、最も効率的である。
【０１０６】
これに代えて、２つの有効化されるコードワードに対するプリコーディング情報を半静的なシグナリングによって設定することができ、１つの有効化されるコードワードに対するプリコーディング情報がＤＣＩフォーマットに含まれる。この方式は、レイヤ数およびＴＰＭＩの利用可能な選択肢の数が、２つのコードワードの場合よりも１つのコードワードの場合に相当に多い場合に、特に適用可能である。例えば、図７Ａを参照すると、２つのコードワードの場合には、１つのみの有効なエントリが存在する。この観点からは、ＤＣＩの中の対応するプリコーディング情報フィールドなしで動作させることさえ可能である。逆に、１つのコードワードの場合には、選択肢として６つの異なるエントリが存在し、したがって、チャネル条件がたとえ小さく変化しても、ＴＰＭＩの最適な選択が異なりうることを予測することができる。
【０１０７】
半静的なシグナリングは、無線アクセスベアラを確立するとき、またはその後に無線アクセスベアラを再設定する任意のタイミングにおいて、端末に固有なＲＲＣメッセージによって伝えることができる。
【０１０８】
この例および代替例は、サブフレームあたり３つ以上のコードワードの場合にも拡張することができ、その場合、第１の数の無効化されるコードワードおよび第２の数の無効化されるコードワードに対するプリコーディング情報が、それぞれ半静的な設定によって伝えられ、第３の数の無効化されるコードワードに対するプリコーディング情報がＤＣＩによって伝えられる。これに代えて、第１の数の無効化されるコードワードおよび第２の数の無効化されるコードワードに対するプリコーディング情報が、それぞれＤＣＩによって伝えられ、第３の数の無効化されるコードワードに対するプリコーディング情報が半静的な設定によって伝えられる。
【０１０９】
第３の例によれば、１つのコードワードの場合のプリコーディング情報の候補が、半静的に設定される。さらに、半静的に事前に設定される候補の間でのプリコーディング情報の特定の選択が、例えばＭＣＳおよび／またはＲＶのいくつかの値を使用することによって動的にシグナリングされる。例えば、第１の候補、第２の候補、および第３の候補の選択を示すために、それぞれ、ＭＣＳ値２９、ＭＣＳ値３０、およびＭＣＳ値３１を使用することができる。第１の候補、第２の候補、および第３の候補は、図７の表に定義されている組合せなど特定の組合せをこれらの候補に割り当てることによって、ＲＲＣによって設定することができる。
【０１１０】
第３の例に固有な別の例においては、ＭＣＳ値２９、ＭＣＳ値３０、およびＭＣＳ値３１を、第１のＲＶ値と一緒に使用して、それぞれ第１の候補、第２の候補、および第３の候補の選択を示すことができ、その一方で、ＭＣＳ値２９、ＭＣＳ値３０、およびＭＣＳ値３１を、第２のＲＶ値と一緒に使用して、それぞれ第４の候補、第５の候補、および第６の候補の選択を示すことができる。第１〜第６の候補は、図７の表に定義されている組合せなど特定の組合せをこれらの候補に割り当てることによって、ＲＲＣによって設定することができる。
【０１１１】
この第３の例は、３つ以上のコードワードがサポートされ、少なくとも１つのコードワードが無効化される場合に拡張することができる。無効化されるコードワードの数（およびインデックス）は、対応するＭＣＳフィールドが０〜２８の値を含む（すなわち変調・符号化方式を割り当てる）か、または２９〜３１の値を含むかの認識から、決定することができる。これにより、レイヤ数およびプリコーディングの半静的に事前に設定される候補の数に関して、さらなる次元が広がる。例えば、３つのコードワードおよび対応する３つのＭＣＳフィールドがサポートされる場合には、１つのコードワードが有効化される場合および２つのコードワードが無効化される場合は、値０〜２８をとる第１のＭＣＳフィールドと、それぞれが２９〜３１の値をとる第２のＭＣＳフィールドおよび第３のＭＣＳフィールドとによって特徴付けられる。したがって、それぞれが２９〜３１を示す２つのＭＣＳフィールドは、連携して９つの異なる選択肢を提供し、これらの選択肢を、送信レイヤ数とＴＰＭＩの９つの異なる組合せを表すために使用することができる。これに加えてＲＶフィールドを使用することによって、設定可能な組合せの数をさらに増やすことができる。
【０１１２】
第４の例によれば、２つの有効化されるコードワードおよび１つの有効化されるコードワードの両方に対するプリコーディング情報をシグナリングするために、ただ１つのプリコーディング情報フィールドがＤＣＩに含まれる。このプリコーディング情報フィールドは、レガシーシステムにおいて２つのコードワードの場合にＤＣＩフォーマット４において使用されるプリコーディング情報フィールドに似ており、すなわち４つのアンテナポートの場合、６ビットおよび２９個の可能な値を有し、残りの値は予約される。値０〜２８は、レイヤ数とＴＰＭＩ値の組合せのインデックスを表す。値２９〜６３は予約されている。この例では、予約されている値は、１つのみの有効化されるコードワードのための個々の候補を伝えるために使用される。したがって、両方の有効化されたコードワードによる２コードワード送信の場合には、値０〜２８が、ＤＣＩフォーマット４によって使用されている場合と同じＴＰＭＩとレイヤ数の組合せを示す。１つのコードワードのみが有効化される場合には、値２９〜５６が、有効化される１つのコードワードに対する組合せ（ＴＰＭＩとレイヤ数）を示す。値０〜２８に関連付けられる組合せは、それぞれ、値２９〜５６に関連付けられるそれぞれの組合せと同じとすることができる。残りの値５７〜６３は、別の目的に使用することができる。これに代えて、残りの値は、より多くの選択可能な組合せを提供するために使用することができる。
【０１１３】
以下では、プリコーディング情報フィールドによって示される値をＩＬ，ＴＰＭＩと表し、この第４の例による、レイヤ数およびＴＰＭＩを決定するための特定の例を提示する。４つのアンテナポートの場合、２つの有効化されるコードワードに対して、レイヤ数およびＴＰＭＩは、図７Ｂの表により、「インデックスにマッピングされるビットフィールド」列の中で探索するために「ＩＬ，ＴＰＭＩ  ｍｏｄ  ２９」を使用して求められる。したがって、ＩＬ，ＴＰＭＩ＝０およびＩＬ，ＴＰＭＩ＝２９は、いずれも、割り当てられる送信において２レイヤおよびＴＰＭＩ＝０が使用されることを示す。同様に、ＩＬ，ＴＰＭＩ＝１７およびＩＬ，ＴＰＭＩ＝４６は、いずれも、割り当てられる送信において３レイヤおよびＴＰＭＩ＝１が使用されることを示す。１つのコードワードが有効化され１つのコードワードが無効化されるサブフレームの場合、ＩＬ，ＴＰＭＩ＝｛０−２８｝は、割り当てられる送信において、ＴＰＭＩとレイヤ数の第１の組合せが使用されることを示し、一方で、ＩＬ，ＴＰＭＩ＝｛２９−５６｝は、割り当てられる送信において、ＴＰＭＩとレイヤ数の第２の組合せが使用されることを示す。第１の組合せおよび第２の組合せ（および別の組合せ（適用可能な場合））は、シングルサブフレームスケジューリングの場合に１つの無効化されるコードワードに対して利用可能である一連の組合せから選択されることが好ましく、例えば、図７Ｂの表の左側部分（「メッセージ」）における一連の組合せから選択される。この選択は、好ましくは、決められた仕様を通じて事前に定義される、または、特定のチャネル条件に最適である組合せを、端末ごとにかつタイミングに合わせて選択できるように、半静的なシグナリングによって設定可能である。
【０１１４】
２つのアンテナポートの場合の特定の例においては、２つの有効化されるコードワードに対して、レイヤ数およびＴＰＭＩは、図７Ａの表により、「インデックスにマッピングされるビットフィールド」列の中で探索するために「ＩＬ，ＴＰＭＩ  ｍｏｄ  １」を使用して求められる。したがって、ＩＬ，ＴＰＭＩ＝｛０，１，２，３，４，５，６，７｝のすべてが、割り当てられる送信において２レイヤおよびＴＰＭＩ＝０が使用されることを示す（この場合には１種類のレイヤ数およびＴＰＭＩのみが定義されている特殊なケースであるため、これは明らかに自明である）。１つのコードワードが有効化され１つのコードワードが無効化されるサブフレームの場合、ＩＬ，ＴＰＭＩ＝｛０｝は、割り当てられる送信において、ＴＰＭＩとレイヤ数の第１の組合せが使用されることを示し、一方でＩＬ，ＴＰＭＩ＝｛２｝は、割り当てられる送信において、ＴＰＭＩとレイヤ数の第２の組合せが使用されることを示し、以下同様である。第１の組合せ、第２の組合せ、および別の組合せ（適用可能な場合）は、シングルサブフレームスケジューリングの場合に１つの無効化されるコードワードに対して利用可能である一連の組合せから選択されることが好ましく、例えば、図７Ａの表の左側部分（「メッセージ」）における一連の組合せから選択される。この選択は、好ましくは、決められた仕様を通じて事前に定義される、または、特定のチャネル条件に最適である組合せを、端末ごとにかつタイミングに合わせて選択できるように、半静的なシグナリングによって設定可能である。この特定の例では、１つの有効化されるコードワードに対して合計で６つの組合せが定義され、かつプリコーディング情報フィールドが６つ以上の（この特定の例では８つの）組合せを表すことができ、したがって、半静的に設定可能である必要なしに、定義されている６つの組合せすべてを示すことが可能である。
【０１１５】
第５の例によれば、マルチサブフレーム割当てを伝えるＤＣＩに第２のプリコーディング情報フィールドが含まれない。サブフレームにおいて２つのコードワードが有効化される場合のレイヤ数およびプリコーディング情報は、（マルチサブフレーム割当て用の）ＤＣＩフォーマット４Ｂに含まれるプリコーディング情報フィールドに従って求められる。サブフレームにおいて１つのコードワードが有効化される場合のレイヤ数およびプリコーディング情報は、（シングルサブフレーム割当て用の）直近にシグナリングされたＤＣＩフォーマット４Ａの中のプリコーディング情報から求められる。この例では、チャネル条件、したがってＴＰＭＩとレイヤ数の適切な組合せが、時間とともに実質的に変化しないと仮定している（このことは、少なくともあまり移動しない端末に対して想定して問題ない）。
【０１１６】
第６の例によれば、両方の有効化されるコードワードに対してシグナリングされるプリコーディング情報の組合せと、１つの有効化されるコードワードに対する適用可能な組合せとの間に、一定のマッピングが導入される。言い換えれば、マルチサブフレームＤＣＩ（フォーマット４Ｂ）には、ＤＣＩフォーマット４と同様に１つのプリコーディング情報フィールドが含まれる。このプリコーディング指示情報は、２つの有効化されるコードワードに対するＴＰＭＩとレイヤ数の組合せをシグナリングする。したがって、両方のコードワードが有効化されるサブフレームは、このシグナリングされた組合せを利用する。２つのコードワードの一方のみが有効化されるサブフレームは、１つの有効化されるコードワードに対する適用可能な組合せへの、両方の有効化されるコードワードに対してシグナリングされる組合せの一定のマッピング、に従って求められる組合せを適用する。
【０１１７】
ここまでの例では、コードワードをサブフレーム単位で無効化または有効化することができる。さらに、異なる数の有効化されるコードワードに対してプリコーディング情報が個別にシグナリングされ、これは有利である。ここまでの例は、既存のＬＴＥシステムに組み込んで提示してある。しかしながら本開示は、ＬＴＥ、または最大で２つのコードワード、または図７に示したようにシグナリングされるプリコーディング情報、に限定されないことに留意されたい。そうではなく本発明は、１つのサブフレームへの２つ以上のコードワードのマッピングを可能にするプリコーディングによるＭＩＭＯを用いて、マルチサブフレーム割当てを使用する任意のシステムに適用可能である。このようなシステムでは、特定のＭＣＳに関連付けられていない変調・符号化方式インジケータの値を、場合によっては冗長バージョンなどの別のシグナリングされるパラメータの特定の値と組み合わせて使用することによって、１つまたは複数のコードワードをサブフレーム単位で無効化することができる。これに対応して、そのような設定（１つのコードワードが無効化される、２つのコードワードが無効化される、３つのコードワードが無効化されるなど）それぞれの場合のプリコーディング情報をシグナリングすることができる。このようなシグナリングは、上に説明した例に従って、例えば、各設定に対するプリコーディング情報フィールドをＤＣＩに明示的に含めることによって、またはそのような設定それぞれの場合のプリコーディング情報を半静的に設定することによって、またはＤＣＩに含めることと半静的なシグナリングの組合せによって、または予約されているフィールドを再利用することによって、提供することができる。
【０１１８】
これに代えて、１つのコードワードが無効化されるか、または２つのコードワードが有効化されるかの情報が、プリコーディング情報フィールドによって伝えられる。この代替方法は、シングルサブフレームスケジューリングのみならずマルチサブフレームスケジューリングに適用可能であり、マルチサブフレームスケジューリングでは、コードワードの有効化または無効化が、対応するＤＣＩによってスケジューリングされるすべてのサブフレームに適用される。プリコーディング情報値の第１のセットは、１つのコードワードが無効化されることを暗黙的に示し、プリコーディング情報値の第２のセットは、２つのコードワードが有効化されることを暗黙的に示す。例えば２つのアンテナポートの場合、図７Ａを参照して、第１のセットは、左側の２つの列に示されている６つの値および対応する解釈からなり、第２のセットは、右側の２つの列における１つの値および対応する解釈からなる。したがって合計で７つの値が存在し、すなわちプリコーディング情報フィールドの３ビットのサイズを維持することができる。プリコーディング情報フィールドによって示される値をＩＬ，ＴＰＭＩと表すとき、以下の方法を使用することができる。
・  ０≦ＩＬ，ＴＰＭＩ≦５の場合：  コードワード０が有効化され、コードワード１が無効化される。レイヤ数およびＴＰＭＩを、左側の２つの列において、ＩＬ，ＴＰＭＩに従って求める。
・  ＩＬ，ＴＰＭＩ＝６の場合：  コードワード０が有効化され、コードワード１が有効化される。レイヤ数およびＴＰＭＩを、右側の２つの列において、ＩＬ，ＴＰＭＩ−６に従って求める。
【０１１９】
例えば４つのアンテナポートの場合、図７Ｂを参照して、第１のセットは、左側の２つの列に示されている４０個の値および対応する解釈からなり、第２のセットは、右側の２つの列における２９個の値および対応する解釈からなる。したがって合計で６９個の値が存在し、すなわちプリコーディング情報フィールドのサイズは７ビットである。プリコーディング情報フィールドによって示される値をＩＬ，ＴＰＭＩと表すとき、以下の方法を使用することができる。
・  ０≦ＩＬ，ＴＰＭＩ≦３９の場合：  コードワード０が有効化され、コードワード１が無効化される。レイヤ数およびＴＰＭＩを、左側の２つの列において、ＩＬ，ＴＰＭＩに従って求める。
・  ４０≦ＩＬ，ＴＰＭＩ≦６８の場合：  コードワード０が有効化され、コードワード１が有効化される。レイヤ数およびＴＰＭＩを、右側の２つの列において、ＩＬ，ＴＰＭＩ−４０に従って求める。
【０１２０】
この方法では、プリコーディング情報フィールドにおけるより小さいビット数を実現できるように、セットを減らす（サブサンプリングする）ことができる。例えば、４つのアンテナポートの上の場合を考えると、システムにおける共通性のために、プリコーディング情報フィールドの６ビットという数を維持することが望ましいことがある。６ビットでは、６４個の組合せのセットサイズがサポートされ、すなわち組合せの完全なセットと比較して、６９−６４＝５個の組合せを削除する必要がある。このようなサブサンプリングは、例えば第１の例に関連して上述したように適用することができる。
【０１２１】
さらに、本開示は、通信システム８００において複数のサブフレームのためのリソースグラントを受信する装置８１０を提供する。このような装置は、携帯電話、スマートフォン、ＵＳＢアダプタ、コンピュータ、タブレット、ノートパソコン、ウェアラブルデバイス（例えばスマートウォッチやスマートグラス）など、任意の種類の移動局（ユーザ機器：ＵＥ）とすることができる。通信システムは、ＬＴＥシステムまたはＬＴＥ−Ａシステムであることが有利である。しかしながら本発明は、ＬＴＥシステムに限定されない。そうではなく、任意の４Ｇシステムまたは５Ｇシステム、さらには、複数のアンテナおよび対応するシグナリングを採用するＷｉＦｉ、ＷｉＭａｘなどの任意のシステムを利用することができる。
【０１２２】
本装置は、制御情報を含む信号８５５を受信する送受信機８２０を備えている。この送受信機は、例えば、ＬＴＥ／ＬＴＥ−Ａ互換信号を受信および送信することのできる送受信機とすることができる。図９は、ＬＴＥにおける可能なアップリンク送信処理（図９Ａ）および可能なダウンリンク送信処理（図９Ｂ）を例示している。しかしながら、これらは単なる例であることに留意されたい。送受信機８２０は、一般的には、１つまたは複数のアンテナと、アンテナの利得を制御する対応する回路と、物理リソースへのユーザデータ、制御データ、および基準信号のマッパーとを含む。
【０１２３】
信号８５５に含まれる制御情報は、複数のサブフレームおよび各サブフレームの複数のコードワードのためのリソースグラントを含む。リソース割当ては、時間領域および／または周波数領域における送信用リソースの位置を示すことができる。リソース割当てが有効である対象のサブフレームの数も、図６に例示したように制御情報の中でシグナリングすることができる。しかしながら本開示は、これによって制限されず、サブフレームの数を別の方法で（例：半静的に）事前に設定する、または事前に定義してもよいことに留意されたい。複数のコードワードは２つ以上のコードワードであり、そのうちのいくつかが無効化されうる。
【０１２４】
制御情報は、割り当てられる複数のサブフレームに共通でありかつ複数のコードワードそれぞれに個別の変調・符号化方式（ＭＣＳ）インジケータを、さらに含む。ＭＣＳインジケータは、複数のＭＣＳの１つを示す値と、ＭＣＳを示していない少なくとも１つの値とを含む複数の値、のうちの１つをとる。ＭＣＳインジケータは、一連の値を表現可能な事前に定義されるビット長を有するフィールドとすることができる。値のいくつかは、特定のそれぞれの変調（より具体的には、変調タイプが同じである場合には変調次数）と、割り当てられるリソースにマッピングされる（１つまたは複数の）トランスポートブロックのサイズ（適用される符号化によって決まる）とに関連付けられる。値のいくつかは、符号化または変調に関連付けられていない。後者の値は、別の目的に使用する、または予約することができる。上のＵＬ  ＬＴＥの例では、値２９〜３１は、冗長バージョンをシグナリングするために使用される。
【０１２５】
制御情報が信号８５５の一部として送受信機８２によって受信されると、装置８１０の一部である処理デバイス８３０が制御情報をさらに処理する。特に、プロセッサ８３０は、複数のコードワードの少なくとも１つに対するＭＣＳインジケータが、ＭＣＳを示していない値を有する場合には、複数のサブフレームにおける複数のコードワードからのコードワードが無効化され、そうでない場合には無効化されないことを決定するように構成されている。このことは、ＭＣＳを示していないＭＣＳインジケータがつねに無効化を意味することを必ずしも意味するものではない。一実施形態においては、ＭＣＳを示していないＭＣＳインジケータは、つねに無効化を意味する。別の実施形態においては、ＭＣＳを示していないＭＣＳインジケータは、後から示すように、別のパラメータ値との組合せにおいてのみ無効化を示すことができる。
【０１２６】
処理デバイス８３０は、１個のプロセッサまたは複数のプロセッサとすることができる。処理デバイス８３０は、集積回路、またはプログラマブルなハードウェア、またはこのようなデバイスの組合せとすることができる。このような処理デバイス８３０は、送受信機８２０によって受信された信号から制御情報を取り出し、さらに、設定値を伝える制御情報の特定のフィールドを取り出すことができる。上に説明したように、信号８５５は、現在のＬＴＥシステムまたはＬＴＥ−Ａシステムにおいては、ｅＮＢから端末に送信されるダウンリンク信号に相当することができ、制御情報はＤＣＩに相当することができ、ＭＣＳインジケータはＭＣＳフィールドに相当することができ、プリコーディング情報はＴＰＭＩとレイヤ数の組合せに相当することができる。
【０１２７】
一実施形態においては、上記の複数の値は、ＬＴＥにおいて適用されるＰＵＳＣＨ  ＭＣＳテーブルに従って、インデックス化された３２個の値を含み、これらの値のうち、最も大きいインデックスを有する３つの値は、ＭＣＳを示しておらず、複数のサブフレームのコードワードの無効化を示すために使用可能である。特に、３２個の値は、ＭＣＳインジケータが５ビット長である（すなわち５ビットのフィールドがＤＣＩに含まれる）ように、５ビットのすべての組合せによって与えることができる。さらに、３２個の値のうち、事前に定義される、または事前に設定される数の値を、特定のそれぞれのＭＣＳに関連付けることができ（ＬＴＥでは２９個、すなわち値０〜２８）、その一方で、残りの値は特定のＭＣＳに関連付けられない（ＬＴＥでは３個、すなわち２９〜３１）。値３２は有利であり、なぜならこれにより、ＬＴＥにおいてすでに定義されているＭＣＳテーブルの再利用が可能になるためである。しかしながら本発明はこの例によって制限されず、値の数は、制御情報においてＭＣＳのシグナリングのために提供されるビット数に応じて、より大きい、またはより小さくてよい。ＬＴＥの例におけるこの方法の利点として、設定可能なＭＣＳの数がさらに減らされるのではなく、冗長バージョンを示す値が利用される。図６に例示したように各サブフレームに対してＲＶが個別にシグナリングされる場合、ＲＶ値はもはや必要ない。
【０１２８】
言い換えれば、レガシー端末は、ＭＣＳおよび／またはＲＶを示すためにＭＣＳテーブルを使用することができ、一方でマルチサブフレーム割当てをサポートするように構成されている端末は、レガシー端末と同じ方法でＭＣＳを示すためと、コードワードの無効化を示すために、同じＭＣＳテーブルを使用する（解釈する）ことができる。
【０１２９】
制御情報は、複数のサブフレームそれぞれに個別でありかつそれぞれのサブフレームにおけるすべてのコードワードに共通である冗長バージョン指示情報、をさらに備えていることが有利である。この場合、処理デバイスは、複数のコードワードの少なくとも１つに対するＭＣＳインジケータが、ＭＣＳを示していない値を有し、かつ冗長バージョン指示情報が第１の事前定義される値を有する場合、複数のサブフレームにおける複数のコードワードからのコードワードが無効化されることを決定するように構成されている。そうでない場合、すなわち、ＭＣＳインジケータが、複数の設定可能なＭＣＳのうちの特定のＭＣＳを示す値をとり、サブフレームごとにシグナリングされかつ設定可能な冗長バージョンの１つを示す冗長バージョン指示情報の別の値と組み合わされている場合、コードワードまたは複数のコードワードは無効化されない。当業者には明らかであるように、ＬＴＥに固有な上の例では、マルチサブフレームＤＣＩの中の、サブフレームに対する冗長バージョンインジケータの長さは１ビット（パフォーマンスの点で最も重要な２つのＲＶであるＲＶ＝０とＲＶ＝２の間での選択を示す）であったが、このことは本開示を制限しない。冗長バージョンは、レガシーＤＣＩと同様に、０〜３のＲＶを示す２ビット長でもよく、または、より多くの冗長バージョンを必要とするシステムの場合には任意の別の長さでもよい。
【０１３０】
上に説明したように、１つのコードワードが有効化され１つのコードワードが無効化されるサブフレームにおいては、処理デバイスは、有効化されるコードワードの冗長バージョンを、ＭＣＳを示していない特定の値（冗長バージョン指示情報と一緒に、無効化されるコードワードの無効化を示すために使用される）に基づいて決定するように構成されていることが有利である。言い換えれば、ＭＣＳインジケータとＲＶインジケータ（両方が制御情報に含まれている）が連携して、コードワードの無効化または有効化と、そのコードワードのＲＶとを示す。
【０１３１】
２つのコードワードが有効化されて、いずれのコードワードも無効化されないサブフレームにおいては、有効化されるコードワードのＭＣＳを、ＬＴＥに関連する上の例における値０〜２８など、ＭＣＳを示す特定の値に基づいて決定するように、処理デバイスを構成することができる。このような値は、無効化されるコードワードの無効化を、（場合によっては冗長バージョン指示情報と一緒に）示すためには使用されない。
【０１３２】
制御情報は、制御情報が割当て（グラント）を示す対象の複数のサブフレームに共通のプリコーディング情報フィールド、をさらに含むことができる。プリコーディング指示情報フィールドは、ＴＰＭＩおよび／またはレイヤ数を示すことができる。なお上の例では、プリコーディング情報フィールドは、このＴＰＭＩとレイヤ数の組合せを示したが、なぜなら現在のＬＴＥには、類似するプリコーディング情報フィールドが存在するためであることに留意されたい。しかしながら本開示は、これらの例によって制限されない。そうではなく、プリコーディング情報フィールドはＴＰＭＩのみを示してもよく、レイヤ数は、一般には別のフィールドによってシグナリングする、または暗黙的に示す、または別の層でシグナリングしてもよい。一方で、プリコーディング情報がさらなる設定をシグナリングしてもよい。
【０１３３】
一実施形態においては、プリコーディング情報は、送信プリコーディング行列指示情報（ＴＰＭＩ）と送信レイヤ数の組合せを示す。これは、様々な異なる方法で実行することができる。
【０１３４】
例えば、一例においては、プリコーディング情報は、ＴＰＭＩと送信レイヤ数の複数の事前定義される組合せのうちの、ＴＰＭＩと送信レイヤ数の１つの組合せを示すことができる。これらの組合せは、標準規格に事前に定義しておき、受信機および送信機の両方に既知とすることができる。
【０１３５】
別の例においては、プリコーディング情報は、半静的なシグナリングによって事前に設定される候補のセットにおけるＴＰＭＩと送信レイヤ数の複数の組合せのうちの、ＴＰＭＩと送信レイヤ数の１つの組合せを示すことができる。特に、基地局から端末へのＲＲＣメッセージが、ＴＰＭＩとレイヤ数のそれぞれの組合せに関連付けられるインデックスの候補のセットを設定することができる。候補のセットの中の組合せの数は、すべての可能な組合せより、および／または、すべての設定可能な設定より、小さいことが有利である。候補のセットは、例えばチャネル条件、干渉、端末の能力、または任意の他のパラメータに基づいて、選択することができる。この場合に制御情報は、事前に設定された候補のセットの中の値のみのシグナリングを可能にする、より小さいビット長を有するプリコーディング情報フィールドを伝える。例えば、一般的に可能な３２個の組合せが存在する場合、それらをシグナリングするためには、プリコーディング情報は５ビットを必要とする。しかしながら候補のセットが、ＲＲＣによって事前に設定される４つの候補の組合せのみを含むことができ、その場合、動的にシグナリングされるプリコーディング情報の中の候補の間で組合せを選択するためには２ビットのみが必要である。
【０１３６】
さらに別の例では、プリコーディング情報は、サブフレームあたり１つのコードワードを使用するシングルレイヤ設定の場合にも選択可能である、ＴＰＭＩと送信レイヤ数の複数の事前定義される組合せのうちの、または、シングルレイヤ設定の場合には選択可能ではない、ＴＰＭＩと送信レイヤ数の複数の事前定義される組合せのうちの、ＴＰＭＩと送信レイヤ数の１つの組合せを示し、この場合、シングルレイヤシステムの場合には選択可能ではないＴＰＭＩと送信レイヤ数のそれぞれの組合せを示すプリコーディング指示情報の値は、シングルレイヤ設定のプリコーディング指示情報における予約値である。
【０１３７】
言い換えれば、送受信機は、プリコーディング設定を含む無線リソース制御プロトコルの設定情報を受信するように構成されており、処理デバイスは、受信されたプリコーディング設定に従ってプリコーディングパラメータを設定するようにさらに構成されている。
【０１３８】
図８には、装置８５０も示してあり、装置８５０は、通信システムにおいて複数のサブフレームのためのリソースグラントを送信する。この装置は、ネットワークノードまたは基地局、またはアクセスポイントとして処理を行う端末、または任意の他のスケジューリングエンティティとすることができる。ＬＴＥでは、この装置はｅＮＢに相当しうる。
【０１３９】
装置８５０は、複数のサブフレームにおける複数のコードワードからのコードワードが無効化されることを示すために、変調・符号化方式（ＭＣＳ）インジケータを、ＭＣＳを示していない値に設定するように構成されている処理デバイス８７０、を備えている。例えば、この装置は、別の装置のために送信設定を選択し、選択された設定を制御情報を介してその別の装置に提供するスケジューリングエンティティとすることができる。この設定は、例えば、変調および符号化の設定などの物理層パラメータ、レイヤ数やプリコーディング行列などのＭＩＭＯ設定、リソースの割当て、ＨＡＲＱ設定などを含むことができる。
【０１４０】
装置８５０は、制御情報を含む信号を送信する送受信機８６０をさらに備えており、制御情報は、少なくとも、複数のサブフレームおよび各サブフレームの複数のコードワードのためのリソースグラントと、複数のサブフレームに共通のプリコーディング指示情報と、グラントされる複数のサブフレームに共通でありかつ複数のコードワードそれぞれに個別のＭＣＳインジケータ（複数のＭＣＳの１つを示す値とＭＣＳを示していない少なくとも１つの値とを含む複数の値のうちの１つをとる）と、を含む。
【０１４１】
処理デバイス８７０は、処理デバイス８３０と同様に、上に説明したタスクを実行するように構成またはプログラムされている、１つまたは複数のプロセッサ、および／または、１つまたは複数の集積回路、および／または、プログラマブルなハードウェア、などとすることができる。なお、処理デバイス８７０は、装置８１０および装置８１０による制御情報の取り出し／処理に関連して上に説明したように、制御情報およびその各フィールドの値を選択することがさらに有利であることに留意されたい。
【０１４２】
さらに、図８に示したように通信システムも提供され、この通信システムは、制御情報を受信する装置８１０と、装置８１０によるチャネルを通じたデータの送信を制御するための制御情報を送信する装置８５０と、を備えている。チャネルは、少なくとも一部が無線チャネルであってもよい。システムは、通信システムの一部とすることができ、通信システムは、例えばＬＴＥ、ＬＴＥ−Ａ、ＬＴＥのさらなる発展形態（ＬＡＡなど）、または無線リンクを含む任意の別のシステムとすることができる。
【０１４３】
［専用フィールドによる無効化］
一実施形態によれば、コードワードの有効化／無効化が明示的に示され、対応するリソース割当ての各サブフレームに対して有効である。制御情報は、特に、リソース割当てによって割り当てられる各サブフレームのコードワードの有効化および／または無効化を示す専用のコードワード有効化／無効化フィールド、を含むことができる。専用のコードワード有効化／無効化フィールドは、制御情報の中の１個のビットからなることが好ましく、第１のビット状態（例：ビット値＝０）が、１つのコードワードが有効化され１つのコードワードが無効化されることを示し、第２の状態（例：ビット値＝１）が、２つのコードワードが有効化されることを示す。この有効化／無効化は、制御情報によって割り当てられる各サブフレームにおいて適用され、したがってこの実施形態は、シングルサブフレーム割当てのみならずマルチサブフレーム割当てに適用可能である。言い換えれば、すべてのサブフレームに共通の対応する有効化／無効化フィールドをマルチサブフレームＤＣＩに含めることによって、コードワードの有効化／無効化が、マルチサブフレームＤＣＩの中で明示的に示される。
【０１４４】
別の実施形態によれば、コードワードの有効化／無効化は、各サブフレームに対して明示的かつ個別に示される。特に、制御情報は、各サブフレームについてコードワードの有効化および／または無効化を示す専用のコードワード有効化／無効化フィールドを含むことができる。
【０１４５】
一例においては、コードワード有効化／無効化ビットマップが提供され、このビットマップでは、各ビットがサブフレームを表し、それぞれのビットの値が、それぞれのサブフレームにおいてコートワードが有効化されるか無効化されるかを示す。この指定は１ビットによって行うことができ、ビットが０に設定されているときには１つのコードワードが無効化されることを示し、１に設定されているときには両方のコードワードが有効化されることを示す（またはこの逆）（設定可能な２つのコードワードのみが存在する場合）。
【０１４６】
言い換えれば、コードワード有効化／無効化フィールド（ビットマップ）は、２に等しいコードワードの最大数が存在すると想定して、それぞれのサブフレームが１つのコードワードを使用するか２つのコードワードを使用するかを示す。したがってビットマップは、１つのスケジューリングメッセージが提供される対象のサブフレームの数（複数のサブフレームにおけるサブフレームの数）の設定値に応じて、例えば、２ビット、３ビット、４ビット、または５ビット以上（一般には１０ビット以下）の長さを有することができる。
【０１４７】
なお本開示は、上述したＬＴＥの例のように、設定可能な２つのコードワードのみが存在する場合に限定されないことに留意されたい。より大きい数のコードワードの有効化／無効化を示す目的で、サブフレームおよびコードワードごとのビットマップを提供することができる。より大きい数のコードワードの場合、各コードワードに対して１つのＭＣＳフィールドがＤＣＩに含まれるものと想定する。
【０１４８】
この実施形態においては、値０〜２８をとる変調・符号化方式インジケータが、２コードワード送信（両方のコードワードが有効化されるとき）および１コードワード送信（１つのコードワードのみが有効化されるとき）の両方の場合に、変調・符号化方式を選択するために有利に適用される。言い換えれば、サブフレームに対するコードワード有効化／無効化フィールドによって２コードワード送信が示される場合、そのサブフレームにおける両方のコードワードに、インデックス値０〜２８のＭＣＳが適用され、サブフレームに対するコードワード有効化／無効化フィールドによって１コードワード送信が示される場合、そのサブフレームにおける１つのコードワードに、インデックス値０〜２８のＭＣＳが適用される。
【０１４９】
コードワードの無効化は、必ずしもビットマップによって示す必要はない。これに代えて、個々のサブフレームにおけるコードワードが有効化されるか無効化されるかを示すフィールドが、無効化されるコードワードの数および／または識別情報を示すことができる。これに代えて、このフィールドが、有効化されるコードワードの数および／または識別情報を示すことができる。
【０１５０】
例えば、各サブフレームについて、コードワード有効化／無効化フィールドが、２つの状態、すなわち、（１）２つのコードワードが有効化される、（２）１つのコードワードが有効化され１つのコードワードが無効化される、を表すことができる。このような例においては、１つのコードワードのみが有効化される場合、第１のコードワードが有効化され、第２のコードワードが無効化されるものと想定することができる。このようなフィールドは、ｎ個のサブフレームの場合に合計でｅｘｐ（２，ｎ）個の状態を必要とし、これらの状態はｎビット長のフィールドによって表すことができる。
【０１５１】
別の例においては、各サブフレームについて、コードワード有効化／無効化フィールドが、３つの状態、すなわち、（１）２つのコードワードが有効化される、（２）コードワード０が有効化されコードワード１が無効化される、（３）コードワード０が無効化されコードワード１が有効化される、を表すことができる。このようなフィールドは、ｎ個のサブフレームの場合に合計でｅｘｐ（３，ｎ）個の状態を必要とし、これらの状態はＣｅｉｌ｛ｌｏｇ２（ｅｘｐ（３，ｎ））｝ビット長のフィールドによって表すことができる。
【０１５２】
別の例においては、各サブフレームについて、コードワード有効化／無効化フィールドが、４つの状態、すなわち、（１）２つのコードワードが有効化される、（２）コードワード０が有効化されコードワード１が無効化される、（３）コードワード０が無効化されコードワード１が有効化される、（４）コードワード０が無効化されコードワード１が無効化される、を表すことができる。このようなフィールドは、ｎ個のサブフレームの場合に合計でｅｘｐ（４，ｎ）個の状態を必要とし、これらの状態は２ｎビット長のフィールドによって表すことができる。
【０１５３】
プリコーディング情報に関して、上に説明したオプションをこの実施形態に適用することもできる。言い換えれば、制御情報にプリコーディング情報フィールドを挿入することによって、制御情報の中でプリコーディング情報を示すことができる。プリコーディング情報フィールドは、１コードワード送信を設定する場合と２コードワード送信を設定する場合とで個別に挿入することができる。このようなプリコーディング情報の詳細については、上の節「ＴＰＭＩの決定」を参照されたい。
【０１５４】
しかしながら、別の方法でプリコーディング情報を示すことができる。例えば、１つのプリコーディング情報フィールドを制御情報の中に含めることができ、このプリコーディング情報フィールドは、両方のコードワードが有効化される２レイヤ設定の場合のプリコーディング情報を示す。この場合、このプリコーディング情報は、両方のコードワードが有効化されるサブフレームに適用される。さらに、１コードワード送信の場合のプリコーディング設定、すなわち、２つのコードワードの一方のみが有効化される（１つのコードワードが無効化される）サブフレームの設定を得るために、予約されているＭＣＳエントリ２９〜３１を使用することができる。
【０１５５】
特に、１コードワード送信において、ＭＣＳ１が２９〜３１に等しい場合、３つの可能な設定（ＴＰＭＩとレイヤ数の組合せ）の間での選択が存在する。ＭＣＳ２が２９〜３１に等しい場合、３つのさらなる設定の間での選択が存在する。したがって基地局は、１コードワードの場合のための６つのプリコーディング設定の間で動的に選択することができる。６つの可能な値は、上に説明したようにＴＰＭＩとレイヤ数の組合せを示すこともできる。しかしながら本発明はこれに限定されず、プリコーディング情報がプリコーディング行列指示情報のみを伝えてもよい。レイヤ数は、別の方法で示すことができる。
【０１５６】
ＭＣＳ１およびＭＣＳ２への、ＴＰＭＩとレイヤ数の組合せの割当ては、半静的に制御されることが有利である。言い換えれば、ＭＣＳ１およびＭＣＳ２の値２９〜３１に、ＲＲＣによってシグナリングされる候補のセットの値が割り当てられる。この場合、グラントを伝える制御情報の中での動的なシグナリングは、事前に設定された候補のセットから組合せを選択するのみである。
【０１５７】
なお、上に説明した、ＭＣＳを示していないＭＣＳフィールド値に基づくプリコーディング情報の設定は、サブフレームごとのコードワードの有効化／無効化が明示的にシグナリングされる場合においてのみ、使用可能ではないことに留意されたい。そうではなく、ＭＣＳをシグナリングする目的に（さらにはＭＩＭＯなしの１レイヤ通信などのレガシー通信において、もしくはシングルサブフレームＤＣＩ（特にＤＣＩフォーマット４）においても）使用されないＭＣＳフィールド値は、コードワードの有効化／無効化がどのようにシグナリングされるかに関係なく、プリコーディング情報を示すために使用することができる。なお、図５のＭＣＳテーブルを見ると、ＭＣＳフィールド値２９，３０，３１は、トランスポートブロックインデックスまたは変調をシグナリングするために使用されない値として定義することもできることに留意されたい。
【０１５８】
この実施形態によれば、通信システムにおいて複数のサブフレームのためのリソースグラントを受信する装置８１０は、制御情報を含む信号を受信する送受信機８２０を備えている。制御情報は、複数のサブフレームおよび各サブフレームの複数のコードワードのための共通のリソースグラントと、複数のサブフレームそれぞれの１つまたは複数のコードワードの有効化または無効化を示すコードワード指示情報と、を含む。装置８１０は、各サブフレームについて、そのサブフレームにおける複数のコードワードからのコードワードが有効化されるか無効化されるかを、コードワード指示情報に従って決定するように構成されている処理デバイス８３０、をさらに備えている。
【０１５９】
コードワード指示情報は、例えば、複数のサブフレームそれぞれを対象とする個々のビットを含むビットマップであり、個々のビットそれぞれが、１つのコードワードが有効化されるかまたは２つのコードワードが有効化されるかのいずれかを示す。
【０１６０】
しかしながら、ビットマップは１つの例にすぎない。これに代えて、コードワード指示情報は、無効化されるコードワードの識別子、または有効化されるコードワードの識別子のいずれかである。特に、送信用に設定可能な３つ以上のコードワードが存在する場合、無効化されるコードワードの数または有効化されるコードワードの数もコードワード指示情報に含めることは有利であり得る。いくつかのシステムにおいては、無効化されるコードワードの数、または有効化されるコードワードの数のいずれかのみをシグナリングし、無効化されるコードワードが、最も高いインデックスを有するコードワードであると想定することが有利であり得る。
【０１６１】
さらに、この実施形態においては、制御情報は、グラントされる複数のサブフレームに共通でありかつ複数のコードワードそれぞれに個別の変調・符号化方式（ＭＣＳ）インジケータ、をさらに含み、ＭＣＳインジケータが、複数のＭＣＳの１つを示す値と、ＭＣＳを示していない少なくとも１つの値とを含む複数の値のうちの１つをとり、その一方で、処理デバイスが、有効化される各コードワードの変調・符号化方式を、複数のＭＣＳの１つを示している値をとるＭＣＳインジケータに従って決定するようにさらに構成されている、ことが有利である。
【０１６２】
処理デバイスは、１つのコードワードが有効化される場合には、複数のＭＣＳの１つを示していない値をとるＭＣＳインジケータに基づいてプリコーディング設定を決定する、または、どのコードワードが無効化されるかを、複数のＭＣＳの１つを示していない値をとるＭＣＳインジケータに基づいて、もしくは１つのコードワードが有効化されるサブフレームに対する冗長バージョンインジケータに基づいて、決定するように構成することができる。
【０１６３】
この実施形態においても、制御情報受信装置８１０に対応して、通信システムにおいて複数のサブフレームのためのリソースグラントを送信する装置８５０が提供される。
【０１６４】
装置８５０は、各サブフレームについて、そのサブフレームにおける複数のコードワードからのコードワードが有効化されるか無効化されるかを選択し、それに応じてコードワード指示情報を設定するように構成されている処理デバイスと、複数のサブフレームおよび各サブフレームの複数のコードワードのための共通のリソースグラントと、複数のサブフレームそれぞれの１つまたは複数のコードワードの有効化または無効化を示すコードワード指示情報と、を含む制御情報、を備えている信号、を送信する送受信機と、を備えている。
【０１６５】
制御情報のさらなる特徴は、対応する制御情報受信機に関連して上に説明した特徴と同じである。制御情報送信装置は、基地局またはネットワークノード（ＬＴＥにおけるｅＮＢはこれらの機能の両方を有する）などのスケジューリング装置であることが有利である。制御情報送信装置は、一般には、制御情報を送信するのみならず、制御情報受信装置がそれによって設定される制御情報パラメータ値を選択する。
【０１６６】
図１０は、本開示に係る例示的な方法を示している。具体的には、図１０は、通信システムにおいて複数のサブフレームのためのリソースグラントを受信する方法、を示している。このような方法は、図に例示したようにユーザ機器（ＵＥ）などの装置において実行することができる。本方法は、制御情報を含む信号を受信するステップ（１０２０）、を含む。制御情報は、ダウンリンク制御情報（ＤＣＩ）とすることができる。本発明の目的においては、ＤＣＩが受信される方法は重要ではない。ＤＣＩの受信は、ＬＴＥにおけるようにＰＤＣＣＨの監視（ブラインド復号を含む）によるものとすることができるが、スケジューリング式の方法で、または任意の別の方法で実行することもできる。
【０１６７】
ＤＣＩは、複数のサブフレームおよび各サブフレームの複数のコードワードのためのリソースグラントと、グラントされる複数のサブフレームに共通でありかつ複数のコードワードそれぞれに個別の変調・符号化方式（ＭＣＳ）インジケータと、を含み、ＭＣＳインジケータは、複数のＭＣＳの１つを示す値と、ＭＣＳを示していない少なくとも１つの値とを含む複数の値のうちの１つをとる。これに対応して、本方法は、ＤＣＩから、複数のサブフレームのためのリソースグラント（リソース割当て（ＲＡ））を取り出すステップ（１０３０）と、複数のコードワードそれぞれに対するＭＣＳインジケータを取り出すステップ（１０４０）と、をさらに含むことができる。次いで、第１のコードワードに対するＭＣＳ値を評価する（１０５０）。ＭＣＳが、（レガシーのシングルサブフレーム割当てにおいても）どのＭＣＳにも割り当てられていない値の区間に属している場合（ステップ１０５０におけるｙｅｓ）、ステップ１０６０において、そのコードワードを、スケジューリングされた送信において無効化されるものと直接設定することができる。しかしながら別の実施形態によれば、そのコードワードが無効化されるか否かを決定する目的で、ステップ１０６０において（１つまたは複数の）さらなるパラメータをチェックする。第２の（またはそれ以降の）コードワードに対して、同じ評価を実行する。チェックは、サブフレーム単位ベースでシグナリングされるＲＶ値の評価を含むことができ、これにより、有効化／無効化をさらにサブフレーム単位ベースで制御することが可能になる。言い換えれば、ステップ１０６０は、複数のコードワードの少なくとも１つに対するＭＣＳインジケータが、ＭＣＳを示していない値を有する場合（ステップ１０５０においてｙｅｓ）には、複数のサブフレームにおける複数のコードワードが無効化され、そうでない場合（ステップ１０５０においてｎｏ）には無効化されないことを決定するステップである。ステップ１０７０においては、スケジューリングされたデータの送信を実行する。具体的には、複数のサブフレームにわたる送信を、有効化されるコードワードのための設定されたＭＣＳを使用して、割り当てられた（グラントされた）リソースにおいて実行する。
【０１６８】
ＭＣＳ値および対応する（１つまたは複数の）別のパラメータを評価するステップは、上の装置に関して説明した処理デバイスの機能に対応するステップを含むことができる。
【０１６９】
例えば、本方法は、複数のサブフレームに共通のプリコーディング指示情報をＤＣＩから取り出すステップ、をさらに含むことができる。プリコーディング指示情報は、すべてのサブフレームの両方のコードワードに共通とすることもできる。具体的には、両方のコードワードが有効化される場合には、両方の有効化されるコードワードに対してＴＰＭＩとレイヤ数を示し、１つのコードワードのみが有効化される場合には、１つの有効化されるコードワードに対してＴＰＭＩとレイヤ数を示す、プリコーディング指示情報フィールド、を存在させることができる。コードワードがサブフレーム単位で有効化または無効化される場合、本方法は、両方のコードワードが有効化されるサブフレームに対する第１のプリコーディング指示情報と、１つのみのコードワードが有効化される場合の第２のプリコーディング指示情報を取り出すステップ、を含むことができる。これらの指示情報は、ＤＣＩの中の２つの個別のフィールドから取り出すことができ、これら２つのフィールドは、同じ長さを有する、または異なることができる。これらのフィールドは、ＬＴＥにおける現在のプリコーディング情報フィールド（ＴＰＭＩとレイヤ数の組合せをシグナリングする）に類似するフォーマットを有することができる。しかしながら、制御情報をより効率的に伝える目的で、好ましくはレガシー（シングルサブフレームスケジューリング）における、４つのアンテナポートを有し両方のコードワードが有効化される設定の場合のプリコーディング情報フィールド、に類似するフォーマットを有する１つのプリコーディング情報フィールドのみを、ＤＣＩから取り出してもよい。１コードワード送信用のプリコーディング指示情報は、このフィールド内の第１の範囲の値に従って求められ、両方のコードワードが有効化される場合のプリコーディング情報は、このフィールド内の第２の範囲の値（第１の範囲の値とは互いに独立している）に従って求められる。一方または両方のコードワードの場合のサブフレームに対するプリコーディング指示情報を決定するさらなる代替方法は、信号の構造および対応する装置に関連して上に説明されている。
【０１７０】
図１０は、ネットワークノード、基地局、アクセスポイント、またはスケジューリング機能を実行する他の端末などのスケジューリングエンティティにおいて実行することのできる送信方法を、さらに示している。この方法は、制御情報を生成するステップ（１０００）を含むことができる。このステップは、複数のサブフレームにおける複数のコードワードからのコードワードが無効化されることを示すために、変調・符号化方式（ＭＣＳ）インジケータを、ＭＣＳを示していない値に設定するステップを含む。次いで、このようなＭＣＳフィールド値と、同じく設定することのできるさらなるパラメータとを含む制御情報を、送信信号の中でＵＥに送信する（１０１０）。送信される制御情報は、特に、複数のサブフレームおよび各サブフレームの複数のコードワードのためのリソースグラントと、グラントされる複数のサブフレームに共通でありかつ複数のコードワードそれぞれに個別のＭＣＳインジケータとを含み、ＭＣＳインジケータは、複数のＭＣＳの１つを示す値と、ＭＣＳを示していない少なくとも１つの値とを含む複数の値のうちの１つをとる。制御情報は、上に説明したように、複数のサブフレームに共通のプリコーディング指示情報を含むこともできる。ステップ１０９０において、制御情報に従ってデータを受信する（およびリソースから取り出す）。
【０１７１】
図１１は、本開示に係る方法の別の実施形態を示している。通信システムにおいて複数のサブフレームのためのリソースグラントを受信する方法は、制御情報を含む信号を受信するステップ（１１２０）を含む。制御情報は、複数のサブフレームおよび各サブフレームの複数のコードワードのための共通のリソースグラントと、複数のサブフレームそれぞれの１つまたは複数のコードワードの有効化または無効化を示すコードワード指示情報とを含む。したがって、ステップ１１３０においてリソースグラントを取り出し、ステップ１１４０においてコードワード指示情報（ＣＷＩ）を取り出し、これによって各サブフレームについて、そのサブフレームにおける複数のコードワードからのコードワードがコードワード指示情報に従って有効化されるか無効化されるか、および／または、どのコードワードが有効化または無効化されるか、が決定される。次いで、ステップ１１２０において制御情報の中で受信された設定を使用して、すなわち複数のサブフレームにおけるグラントされたリソースにおいて、かつ取り出されたコードワード指示情報（ＣＷＩ）に従ってサブフレーム単位でコードワードが有効化／無効化された状態で、データを送信する（１１７０）。
【０１７２】
さらに図１１に示したように、通信システムにおいて複数のサブフレームのためのリソースグラントを送信する方法は、各サブフレームについて、そのサブフレームにおける複数のコードワードからのコードワードが有効化されるか無効化されるかを選択し、それに応じてコードワード指示情報を設定し、これにより制御情報を生成するステップ（１１００）、を含む。この方法は、複数のサブフレームおよび各サブフレームの複数のコードワードのための共通のリソースグラントと、複数のサブフレームそれぞれの１つまたは複数のコードワードの有効化または無効化を示すコードワード指示情報とを含む制御情報と、を含む信号を送信するステップ（１１１０）、をさらに含む。
【０１７３】
本明細書に提示されている実施形態および例の文脈において、説明では多くの場合において、「１つのコードワードが無効化され１つのコードワードが有効化される」ことなどが記述されている。一般的には、特に明記していない限り、一般性を失うことなく、１つの無効化されるコードワードおよび１つの有効化されるコードワードの有利な実施形態は、最初のコードワードを有効化し、かつ２番目のコードワードを無効化することであることを理解されたい（例えば図７の文脈では、最初のコードワードがコードワード０であり、２番目のコードワードがコードワード１である）。
【０１７４】
ここまでの説明では、有効化／無効化がコードワードに関連する例を提供した。ＬＴＥでは、各コードワードにトランスポートブロックがマッピングされることに留意されたい。このマッピングは送信機および受信機に既知である。マッピングは、一般的には、事前に定義する、または事前に設定する、または事前定義された規則によって制御することができる。一方で、ここまでのコンセプトを、トランスポートブロックの有効化／無効化に直接適用することもできる。
【０１７５】
ＬＴＥ／ＬＴＥ−Ａでは、コードワード０のみが有効化される場合、トランスポートブロック１がコードワード０にマッピングされるか、トランスポートブロック２がコードワード０にマッピングされるかの選択が依然として存在し、この選択は、前に送信されたトランスポートブロックの再送信を改善するためにコードワードを無効化する場合に特に関連する。コードワードへのトランスポートブロックのマッピングは、１つのコードワードのみ（したがって２つのトランスポートブロックの一方のみ）が有効化される場合の、以下に示した非特許文献４の表５．３．３．１．５−２に規定されている。
【表１】
2019528598.tif 000003
【０１７６】
本明細書に提示した実施形態および例では、このような場合、どちらのトランスポートブロック（１または２）が有効化され、どちらのトランスポートブロックが無効化される（２または１）かを決定し、したがって、対応する有効化されるトランスポートブロックがコードワード０にマッピングされる。例えば、上述したＭＣＳフィールド値を使用して（１つまたは複数の）コードワードを有効化／無効化する実施形態によれば、ＭＣＳ１インジケータが２９〜３１の範囲内の値を有する場合、結果としてコードワード０が無効化されコードワード１が有効化され、さらに、トランスポートブロック１が無効化されトランスポートブロック２がコードワード１にマッピングされる。これに対して、ＭＣＳ２インジケータが２９〜３１の範囲内の値を有する場合、結果としてコードワード０が有効化されコードワード１が無効化され、さらに、トランスポートブロック２が無効化されトランスポートブロック１がコードワード０にマッピングされる。当業者には明らかであるように、このＬＴＥマッピングは、１つのオプションである。しかしながら、トランスポートブロックとコードワードとの間のマッピングの別の規則が存在しうる。本開示は、任意のそのような規則を使用して適用可能である。
【０１７７】
要約すれば、本開示は、通信システムにおいて複数のサブフレームのためのリソースグラントを受信する装置であって、本装置が、複数のサブフレームおよび各サブフレームの複数のコードワードのためのリソースグラントと、複数のサブフレームに共通のプリコーディング指示情報と、グラントされる複数のサブフレームに共通でありかつ複数のコードワードそれぞれに個別の変調・符号化方式（ＭＣＳ）インジケータであって、ＭＣＳインジケータが、複数のＭＣＳの１つを示す値とＭＣＳを示していない少なくとも１つの値とを含む複数の値、の１つをとる、変調・符号化方式（ＭＣＳ）インジケータと、を含む制御情報、を備えている信号、を受信する送受信機と、複数のコードワードの少なくとも１つに対するＭＣＳインジケータが、ＭＣＳを示していない値を有する場合には、複数のサブフレームにおける複数のコードワードからのコードワードが無効化されることを決定し、そうでない場合には無効化されないことを決定するように構成されている処理デバイスと、を備えている、装置、を提供する。
【０１７８】
例えば、上記の複数の値は、インデックス化された３２個の値を含み、これら３２個の値のうち、最も大きいインデックスを有する３つの値が、ＭＣＳを示しておらず、複数のサブフレームのコードワードの無効化を示すために使用可能である。
【０１７９】
例えば、制御情報は、複数のサブフレームそれぞれに個別でありかつそれぞれのサブフレームにおけるすべてのコードワードに共通である冗長バージョン指示情報、をさらに備えており、処理デバイスは、複数のコードワードの少なくとも１つに対するＭＣＳインジケータが、ＭＣＳを示していない値を有し、かつ冗長バージョン指示情報が第１の事前定義される値を有する場合、複数のサブフレームにおける複数のコードワードからのコードワードが無効化されることを決定し、そうではない場合には無効化されないことを決定する、ように構成されている。
【０１８０】
特に、１つのコードワードが有効化されかつ１つのコードワードが無効化されるサブフレームにおいては、処理デバイスは、有効化されるコードワードの冗長バージョンを、ＭＣＳを示していない特定の値であって、無効化されるコードワードの無効化を示すために冗長バージョン指示情報と一緒に使用される、特定の値、に基づいて決定するように構成されていることが有利である。
【０１８１】
さらに、一例においては、２つのコードワードが有効化されていずれのコードワードも無効化されないサブフレームにおいては、処理デバイスは、有効化されるコードワードのＭＣＳを、ＭＣＳを示す特定の値であって、無効化されるコードワードの無効化を示すために冗長バージョン指示情報と一緒に使用されない、特定の値、に基づいて決定するように構成されている。
【０１８２】
プリコーディング指示情報は、送信プリコーディング行列指示情報（ＴＰＭＩ）と送信レイヤ数の組合せを示している、すなわち、ＴＰＭＩと送信レイヤ数の複数の事前定義される組合せのうちの、ＴＰＭＩと送信レイヤ数の組合せを示している、または、半静的なシグナリングによって事前に設定される候補のセットにおけるＴＰＭＩと送信レイヤ数の複数の組合せのうちの、ＴＰＭＩと送信レイヤ数の組合せを示している、または、サブフレームあたり１つのコードワードを使用するシングルレイヤ設定の場合にも選択可能である、ＴＰＭＩと送信レイヤ数の複数の事前定義される組合せのうちの、もしくは、シングルレイヤ設定の場合には選択可能ではない、ＴＰＭＩと送信レイヤ数の複数の事前定義される組合せのうちの、ＴＰＭＩと送信レイヤ数の組合せを示しており、シングルレイヤシステムの場合には選択可能ではないＴＰＭＩと送信レイヤ数のそれぞれの組合せを示すプリコーディング指示情報の値が、シングルレイヤ設定のプリコーディング指示情報における予約値である、ことが有利である。
【０１８３】
本開示は、通信システムにおいて複数のサブフレームのためのリソースグラントを受信する装置であって、本装置が、複数のサブフレームおよび各サブフレームの複数のコードワードのための共通のリソースグラントと、複数のサブフレームそれぞれの１つまたは複数のコードワードの有効化または無効化を示すコードワード指示情報と、を含む制御情報、を備えている信号、を受信する送受信機と、各サブフレームについて、そのサブフレームにおける複数のコードワードからのコードワードがコードワード指示情報に従って有効化されるかまたは無効化されるか、および／または、どのコードワードが有効化または無効化されるかを、決定するように構成されている処理デバイスと、を備えている、装置、をさらに提供する。
【０１８４】
例えば、コードワード指示情報は、複数のサブフレームそれぞれを対象とする個々のビットを含むビットマップであり、個々のビットそれぞれが、１つのコードワードが有効化されるかまたは２つのコードワードが有効化されるかのいずれかを示す。
【０１８５】
制御情報は、グラントされる複数のサブフレームに共通でありかつ複数のコードワードそれぞれに個別の変調・符号化方式（ＭＣＳ）インジケータをさらに備えており、ＭＣＳインジケータが、複数のＭＣＳの１つを示す値とＭＣＳを示していない少なくとも１つの値とを含む複数の値、の１つをとり、処理デバイスは、有効化される各コードワードの変調・符号化方式を、複数のＭＣＳの１つを示している値をとるＭＣＳインジケータに従って決定するようにさらに構成されている、ことが有利である。
【０１８６】
例えば、処理デバイスは、１つのコードワードが有効化される場合に、プリコーディング設定を、複数のＭＣＳの１つを示していない値をとるＭＣＳインジケータに基づいて決定するように、または、どのコードワードが無効化されるかを、複数のＭＣＳの１つを示していない値をとるＭＣＳインジケータに基づいて、もしくは１つのコードワードが有効化されるサブフレームに対する冗長バージョンインジケータに基づいて、決定するように、さらに構成されている。
【０１８７】
受信装置に対応して、送信装置を提供する。特に、通信システムにおいて複数のサブフレームのためのリソースグラントを送信する装置であって、本装置が、複数のサブフレームにおける複数のコードワードからのコードワードが無効化されることを示すために、変調・符号化方式（ＭＣＳ）インジケータを、ＭＣＳを示していない値に設定するように構成されている処理デバイスと、複数のサブフレームおよび各サブフレームの複数のコードワードのためのリソースグラントと、複数のサブフレームに共通のプリコーディング指示情報と、グラントされる複数のサブフレームに共通でありかつ複数のコードワードそれぞれに個別のＭＣＳインジケータであって、ＭＣＳインジケータが、複数のＭＣＳの１つを示す値とＭＣＳを示していない少なくとも１つの値とを含む複数の値、の１つをとる、ＭＣＳインジケータと、を含む制御情報、を備えている信号、を送信する送受信機と、を備えている、装置、を提供する。
【０１８８】
さらに、通信システムにおいて複数のサブフレームのためのリソースグラントを送信する装置であって、本装置が、各サブフレームについて、そのサブフレームにおける複数のコードワードからのコードワードが有効化されるか無効化されるかを選択し、それに応じてコードワード指示情報を設定するように構成されている処理デバイスと、複数のサブフレームおよび各サブフレームの複数のコードワードのための共通のリソースグラントと、複数のサブフレームそれぞれの１つまたは複数のコードワードの有効化または無効化を示すコードワード指示情報と、を含む制御情報、を備えている信号、を送信する送受信機と、を備えている、装置、を提供する。
【０１８９】
送信される制御情報のフォーマットおよび内容は、受信装置に関連して上に説明したフォーマットおよび内容に類似していることが有利である。
【０１９０】
本開示は、通信システムにおいて複数のサブフレームのためのリソースグラントを受信する方法であって、本方法が、複数のサブフレームおよび各サブフレームの複数のコードワードのためのリソースグラントと、複数のサブフレームに共通のプリコーディング指示情報と、グラントされる複数のサブフレームに共通でありかつ複数のコードワードそれぞれに個別の変調・符号化方式（ＭＣＳ）インジケータであって、ＭＣＳインジケータが、複数のＭＣＳの１つを示す値とＭＣＳを示していない少なくとも１つの値とを含む複数の値、の１つをとる、変調・符号化方式（ＭＣＳ）インジケータと、を含む制御情報、を備えている信号、を受信するステップと、複数のコードワードの少なくとも１つに対するＭＣＳインジケータが、ＭＣＳを示していない値を有する場合には、複数のサブフレームにおける複数のコードワードからのコードワードが無効化されることを決定し、そうでない場合には無効化されないことを決定するステップと、を含む、方法、にさらに関する。
【０１９１】
さらに、通信システムにおいて複数のサブフレームのためのリソースグラントを受信する方法であって、本方法が、複数のサブフレームおよび各サブフレームの複数のコードワードのための共通のリソースグラントと、複数のサブフレームそれぞれの１つまたは複数のコードワードの有効化または無効化を示すコードワード指示情報と、を含む制御情報、を備えている信号、を受信するステップと、各サブフレームについて、そのサブフレームにおける複数のコードワードからのコードワードがコードワード指示情報に従って有効化されるかまたは無効化されるか、および／または、どのコードワードが有効化または無効化されるかを、決定するステップと、を含む、方法、を提供する。
【０１９２】
さらには、対応する送信方法を提供する。特に、通信システムにおいて複数のサブフレームのためのリソースグラントを送信する方法であって、複数のサブフレームにおける複数のコードワードからのコードワードが無効化されることを示すために、変調・符号化方式（ＭＣＳ）インジケータを、ＭＣＳを示していない値に設定するステップと、複数のサブフレームおよび各サブフレームの複数のコードワードのためのリソースグラントと、複数のサブフレームに共通のプリコーディング指示情報と、グラントされる複数のサブフレームに共通でありかつ複数のコードワードそれぞれに個別のＭＣＳインジケータであって、ＭＣＳインジケータが、複数のＭＣＳの１つを示す値とＭＣＳを示していない少なくとも１つの値とを含む複数の値、の１つをとる、ＭＣＳインジケータと、を含む制御情報、を備えている信号、を送信するステップと、を含む、方法、を提供する。
【０１９３】
さらに、通信システムにおいて複数のサブフレームのためのリソースグラントを送信する方法であって、各サブフレームについて、そのサブフレームにおける複数のコードワードからのコードワードが有効化されるか無効化されるかを選択し、それに応じてコードワード指示情報を設定するステップと、複数のサブフレームおよび各サブフレームの複数のコードワードのための共通のリソースグラントと、複数のサブフレームそれぞれの１つまたは複数のコードワードの有効化または無効化を示すコードワード指示情報と、を含む制御情報、を備えている信号、を送信するステップと、を含む、方法、を提供する。
【０１９４】
制御情報のフォーマットおよび内容は、受信装置に関連して上に説明し、かつ上の開示の中で例示したフォーマットおよび内容と有利に同じとすることができる。
【０１９５】
別の実施形態によれば、プログラムが記憶されている（非一時的な）コンピュータ可読媒体であって、プログラムが、コンピュータ上で実行されたとき、上述した方法のステップを実行する、コンピュータ可読媒体、を提供する。
【０１９６】
［ハードウェアおよびソフトウェアによる本開示の実施］
別の例示的な実施形態は、上述した様々な実施形態を、ハードウェア、ソフトウェア、またはハードウェアと連携したソフトウェアを使用して実施することに関する。これに関連して、ユーザ端末（移動端末）およびｅＮｏｄｅＢ（基地局）を提供する。ユーザ端末および基地局は、本明細書に記載されている方法を実行するように構成されており、これらの方法に適切に関与する対応するエンティティ（受信機、送信機、プロセッサなど）を含む。
【０１９７】
様々な実施形態は、コンピューティングデバイス（プロセッサ）を使用して実施または実行され得るものとさらに認識される。コンピューティングデバイスまたはプロセッサは、例えば、汎用プロセッサ、デジタル信号プロセッサ（ＤＳＰ：Digital Signal Processor）、特定用途向け集積回路（ＡＳＩＣ：Application Specific Integrated Circuit）、フィールドプログラマブルゲートアレイ（ＦＰＧＡ：Field Programmable Gate Array）、または、その他プログラマブルロジックデバイスなどである。様々な実施形態は、これらのデバイスの組合せによっても実行または具体化され得る。特に、上述した各実施形態の説明に用いた各機能ブロックは、集積回路であるＬＳＩによって実施できる。これらの機能ブロックは、個々のチップから構成されてもよいし、機能ブロックの一部または全てを含むように一つのチップから構成されてもよい。これらのチップは、自身に結合されているデータの入力と出力を含むことができる。ＬＳＩは、集積度の違いにより、ＩＣ、システムＬＳＩ、スーパーＬＳＩ、またはウルトラＬＳＩと呼称される。しかしながら、集積回路を実施する技術は、ＬＳＩに限るものではなく、専用回路または汎用プロセッサを使用することによって達成できる。さらには、ＬＳＩ製造後にプログラムすることが可能なＦＰＧＡ、またはＬＳＩ内部の回路セルの接続または設定を再設定可能なリコンフィギャラブル・プロセッサを利用してもよい。
【０１９８】
さらに、様々な実施形態は、ソフトウェアモジュールによっても実施され得る。これらのソフトウェアモジュールは、プロセッサによって実行され、または、ハードウェアにおいて直接実行される。また、ソフトウェアモジュールとハードウェア実装の組合せも可能である。ソフトウェアモジュールは、任意の種類のコンピュータ可読記憶媒体、例えば、ＲＡＭやＥＰＲＯＭ、ＥＥＰＲＯＭ、フラッシュメモリ、レジスタ、ハードディスク、ＣＤ−ＲＯＭ、ＤＶＤなどに格納され得る。さらには、複数の異なる実施形態の個々の特徴は、個々に、または任意の組合せにおいて、別の実施形態の主題にできることに留意されたい。
【０１９９】
具体的な実施形態に示した本開示には、広義に記載されている本発明の概念または範囲から逸脱することなく、様々な変更および／または修正を行うことができることが、当業者には理解されるであろう。したがって、本明細書に示した実施形態は、あらゆる点において例示的であり、本発明を制限するものではないものとみなされる。
【０２００】
要約すれば、本開示は、マルチサブフレームグラントにおけるコードワードの有効化および無効化に関する。具体的には、リソース割当てを含む別の制御パラメータがたとえ複数のサブフレームを対象として実行される場合でも、コードワードを動的かつサブフレーム単位で有効化／無効化することが可能になる。例えば、スケジューリングする側のエンティティからスケジューリングされる側のエンティティへの信号は、複数のサブフレームおよび各サブフレームの複数のコードワードのための共通のリソースグラントと、複数のサブフレームそれぞれの１つまたは複数のコードワードの有効化または無効化を示すコードワード指示情報と、を含む制御情報、を備えている。各サブフレームについて、そのサブフレームにおける複数のコードワードからのコードワードがコードワード指示情報に従って有効化されるかまたは無効化されるか、および／または、どのコードワードが有効化または無効化されるか、が決定される。これに代えて、有効化および無効化の指示は、特定の変調・符号化方式に関連付けられていない変調・符号化方式インジケータ値を使用することによって行うことができる。
【図１】
2019528598.tif 000004
【図２Ａ】
2019528598.tif 000005
【図２Ｂ】
2019528598.tif 000006
【図３】
2019528598.tif 000007
【図４】
2019528598.tif 000008
【図５】
2019528598.tif 000009
【図６】
2019528598.tif 000010
【図７Ａ】
2019528598.tif 000011
【図７Ｂ】
2019528598.tif 000012
【図８】
2019528598.tif 000013
【図９Ａ】
2019528598.tif 000014
【図９Ｂ】
2019528598.tif 000015
【図１０】
2019528598.tif 000016
【図１１】
2019528598.tif 000017
【手続補正書】
【提出日】平成31年3月27日(2019.3.27)
【手続補正１】
【補正対象書類名】特許請求の範囲
【補正対象項目名】全文
【補正方法】変更
【補正の内容】
【特許請求の範囲】
【請求項１】
通信システムにおいて複数のサブフレームのためのリソースグラントを受信する装置であって、
複数のサブフレームおよび各サブフレームの複数のコードワードのための前記リソースグラントと、
前記複数のサブフレームに共通のプリコーディング指示情報と、
前記複数のコードワードそれぞれに対して、前記グラントされる複数のサブフレームに共通である変調・符号化方式（ＭＣＳ）インジケータであって、複数のＭＣＳの１つを示す値とＭＣＳを示していない少なくとも１つの値とを含む複数の値の１つをとる、前記変調・符号化方式（ＭＣＳ）インジケータと、
を含む制御情報、を備えている信号、を受信する送受信機と、
前記複数のコードワードの少なくとも１つに対する前記ＭＣＳインジケータが、ＭＣＳを示していない値を有する場合には、前記複数のサブフレームにおける前記複数のコードワードからのコードワードが無効化されることを決定し、そうでない場合には無効化されないことを決定するように構成されている処理デバイスと、
を具備する装置。
【請求項２】
前記複数の値が、インデックス化された３２個の値を含み、前記３２個の値のうち、最も大きいインデックスを有する３つの値が、ＭＣＳを示しておらず、前記複数のサブフレームのコードワードの無効化を示すために使用可能である、
請求項１に記載の装置。
【請求項３】
前記制御情報が、前記複数のサブフレームそれぞれに個別でありかつ前記それぞれのサブフレームにおけるすべてのコードワードに共通である冗長バージョン指示情報、をさらに備えており、
前記処理デバイスが、前記複数のコードワードの少なくとも１つに対する前記ＭＣＳインジケータが、ＭＣＳを示していない値を有し、かつ前記冗長バージョン指示情報が第１の事前定義される値を有する場合、前記複数のサブフレームにおける前記複数のコードワードからのコードワードが無効化されることを決定し、そうではない場合には無効化されないことを決定する、ように構成されている、
請求項１または請求項２に記載の装置。
【請求項４】
１つのコードワードが有効化されかつ１つのコードワードが無効化されるサブフレームにおいては、前記処理デバイスが、前記有効化されるコードワードの冗長バージョンを、ＭＣＳを示していない特定の値であって、前記無効化されるコードワードの無効化を示すために前記冗長バージョン指示情報と一緒に使用される、前記特定の値、に基づいて決定するように構成されている、請求項３に記載の装置。
【請求項５】
２つのコードワードが有効化されていずれのコードワードも無効化されないサブフレームにおいては、前記処理デバイスが、前記有効化されるコードワードのＭＣＳを、ＭＣＳを示す特定の値であって、前記無効化されるコードワードの無効化を示すために前記冗長バージョン指示情報と一緒に使用されない、前記特定の値、に基づいて決定するように構成されている、請求項３または請求項４に記載の装置。
【請求項６】
前記制御情報が、１つのみの有効化されるコードワードを有する前記複数のサブフレームに共通のプリコーディング指示情報、をさらに備えている、請求項１から請求項５のいずれかに記載の装置。
【請求項７】
前記プリコーディング指示情報が、送信プリコーディング行列指示情報（ＴＰＭＩ）と送信レイヤ数の組合せを示している、すなわち、
ＴＰＭＩと送信レイヤ数の複数の事前定義される組合せのうちの、ＴＰＭＩと送信レイヤ数の組合せを示している、または、
半静的なシグナリングによって事前に設定される候補のセットにおけるＴＰＭＩと送信レイヤ数の複数の組合せのうちの、ＴＰＭＩと送信レイヤ数の組合せを示している、または、
サブフレームあたり１つのコードワードを使用するシングルレイヤ設定の場合にも選択可能である、ＴＰＭＩと送信レイヤ数の複数の事前定義される組合せのうちの、もしくは、シングルレイヤ設定の場合には選択可能ではない、ＴＰＭＩと送信レイヤ数の複数の事前定義される組合せのうちの、ＴＰＭＩと送信レイヤ数の組合せを示しており、シングルレイヤシステムの場合には選択可能ではないＴＰＭＩと送信レイヤ数のそれぞれの組合せを示す前記プリコーディング指示情報の値が、シングルレイヤ設定のプリコーディング指示情報における予約値である、
請求項１から請求項６のいずれかに記載の装置。
【請求項８】
通信システムにおいて複数のサブフレームのためのリソースグラントを受信する装置であって、
複数のサブフレームおよび各サブフレームの複数のコードワードのための共通の前記リソースグラントと、
前記複数のサブフレームそれぞれの１つまたは複数のコードワードの有効化または無効化を示すコードワード指示情報と、
を含む制御情報、を備えている信号、を受信する送受信機と、
各サブフレームについて、前記サブフレームにおける前記複数のコードワードからのコードワードが前記コードワード指示情報に従って有効化されるかまたは無効化されるか、および／または、どのコードワードが有効化または無効化されるかを、決定するように構成されている処理デバイスと、
を具備する装置。
【請求項９】
前記コードワード指示情報が、前記複数のサブフレームそれぞれを対象とする個々のビットを含むビットマップであり、個々のビットそれぞれが、１つのコードワードが有効化されるかまたは２つのコードワードが有効化されるかのいずれかを示す、
請求項８に記載の装置。
【請求項１０】
前記制御情報が、前記グラントされる複数のサブフレームに共通でありかつ前記複数のコードワードそれぞれに個別の変調・符号化方式（ＭＣＳ）インジケータをさらに備えており、前記ＭＣＳインジケータが、複数のＭＣＳの１つを示す値とＭＣＳを示していない少なくとも１つの値とを含む複数の値、の１つをとり、
前記処理デバイスが、有効化される各コードワードの変調・符号化方式を、前記複数のＭＣＳの１つを示している値をとる前記ＭＣＳインジケータに従って決定するようにさらに構成されている、
請求項８または請求項９に記載の装置。
【請求項１１】
前記処理デバイスが、１つのコードワードが有効化される場合に、プリコーディング設定を、前記複数のＭＣＳの１つを示していない値をとる前記ＭＣＳインジケータに基づいて決定するように、または、どのコードワードが無効化されるかを、前記複数のＭＣＳの１つを示していない値をとる前記ＭＣＳインジケータに基づいて、もしくは１つのコードワードが有効化されるサブフレームに対する冗長バージョンインジケータに基づいて、決定するように、さらに構成されている、請求項１０に記載の装置。
【請求項１２】
通信システムにおいて複数のサブフレームのためのリソースグラントを送信する装置であって、
前記複数のサブフレームにおける前記複数のコードワードからのコードワードが無効化されることを示すために、変調・符号化方式（ＭＣＳ）インジケータを、ＭＣＳを示していない値に設定するように構成されている処理デバイスと、
複数のサブフレームおよび各サブフレームの複数のコードワードのための前記リソースグラントと、
前記複数のサブフレームに共通のプリコーディング指示情報と、
前記複数のコードワードそれぞれに対して、前記グラントされる複数のサブフレームに共通である前記ＭＣＳインジケータであって、複数のＭＣＳの１つを示す値とＭＣＳを示していない少なくとも１つの値とを含む複数の値、の１つをとる、前記ＭＣＳインジケータと、
を含む制御情報、を備えている信号、を送信する送受信機と、
を具備する装置。
【請求項１３】
通信システムにおいて複数のサブフレームのためのリソースグラントを送信する装置であって、
各サブフレームについて、前記サブフレームにおける前記複数のコードワードからのコードワードが有効化されるか無効化されるかを選択し、それに応じてコードワード指示情報を設定するように構成されている処理デバイスと、
複数のサブフレームおよび各サブフレームの複数のコードワードのための共通のリソースグラントと、
複数のサブフレームそれぞれの１つまたは複数のコードワードの有効化または無効化を示すコードワード指示情報と、
を含む制御情報、を備えている信号、を送信する送受信機と、
を具備する装置。
【請求項１４】
通信システムにおいて複数のサブフレームのためのリソースグラントを受信する方法であって、
複数のサブフレームおよび各サブフレームの複数のコードワードのための前記リソースグラントと、
前記複数のサブフレームに共通のプリコーディング指示情報と、
前記複数のコードワードそれぞれに対して、前記グラントされる複数のサブフレームに共通である変調・符号化方式（ＭＣＳ）インジケータであって、複数のＭＣＳの１つを示す値とＭＣＳを示していない少なくとも１つの値とを含む複数の値の１つをとる、前記変調・符号化方式（ＭＣＳ）インジケータと、
を含む制御情報、を備えている信号、を受信するステップと、
前記複数のコードワードの少なくとも１つに対する前記ＭＣＳインジケータが、ＭＣＳを示していない値を有する場合には、前記複数のサブフレームにおける前記複数のコードワードからのコードワードが無効化されることを決定し、そうでない場合には無効化されないことを決定するステップと、
を含む、方法。
【請求項１５】
通信システムにおいて複数のサブフレームのためのリソースグラントを受信する方法であって、
複数のサブフレームおよび各サブフレームの複数のコードワードのための共通の前記リソースグラントと、
前記複数のサブフレームそれぞれの１つまたは複数のコードワードの有効化または無効化を示すコードワード指示情報と、
を含む制御情報、を備えている信号、を受信するステップと、
各サブフレームについて、前記サブフレームにおける前記複数のコードワードからのコードワードが前記コードワード指示情報に従って有効化されるかまたは無効化されるか、および／または、どのコードワードが有効化または無効化されるかを、決定するステップと、
を含む、方法。
【国際調査報告】
2019528598.tif 000018
2019528598.tif 000019
2019528598.tif 000020